(57)【特許請求の範囲】
【請求項１】
連続した映像から成る本編映像を画面表示する連続映像表示フェーズ及び、前記本編映像から複数の所定部分を抽出した複数組の抽出映像を順次画面表示する抽出映像表示フェーズに適用される画面の制御方法であって、
前記抽出映像表示フェーズで、少なくとも第一映像表示領域と、第一映像推移表示領域と、第一切替入力領域を配した第一画面を表示し、
前記第一映像表示領域に、現在の映像記録位置に基づき再生された前記複数組の抽出映像のいずれかを表示し、
前記第一映像推移表示領域に、前記本編映像の映像記録位置の推移を示す映像推移グラフと、当該映像推移グラフに重畳させて前記各抽出映像に対応する映像記録位置に配設した刻印と、さらに前記第一映像表示領域に現在表示している前記抽出映像中の現在の映像記録位置を時間推移にともない常時更新して示すとともに、かつ現在の映像記録位置を任意の前記抽出映像中の任意の映像記録位置へ移動可能に構成されたカーソルを表示し、
前記第一切替入力領域に、前記現在の映像記録位置を切り出し保持しつつ当該第一画面から前記連続映像表示フェーズで表示される第二画面へ遷移する指示の入力が可能な第一釦を表示するようにし、
さらに、前記連続映像表示フェーズで、少なくとも第二映像表示領域と、第二映像推移表示領域と、第二切替入力領域とを配した第二画面を表示し、
前記第二映像表示領域に、現在の映像記録位置に基づき再生された前記本編映像を表示し、
前記第二映像推移表示領域に、前記本編映像の映像記録位置の推移を示す映像推移グラフと、前記第二映像表示領域に現在表示している前記本編映像中の現在の映像記録位置を時間推移にともない常時更新して示すとともに、かつ現在の映像記録位置を前記本編映像中の任意の映像記録位置へ移動可能に構成されたカーソルを表示し、
前記第二切替入力領域に、前記現在の映像記録位置を切り出し保持しつつ当該第二画面から前記抽出映像表示フェーズで表示される前記第一画面へ遷移する指示の入力が可能な第二釦を表示するようにし、
かつ、前記第一釦又は前記第二釦の表示中になされる前記各指示入力に基づいて前記抽出映像表示フェーズと前記連続映像表示フェーズ間を遷移し、前記第一画面又は前記第二画面のいずれかを画面表示することを特徴とする画面の制御方法。
【請求項２】
連続した映像から成る本編映像を第二画面として表示する連続映像表示フェーズにおいて当該第二画面を表示し、前記本編映像から複数の所定部分を抽出した複数組の抽出映像を順次第一画面として表示する抽出映像表示フェーズにおいて当該第一画面を表示する画面の制御装置であって、
前記第一画面内に、少なくとも、第一映像表示領域と、第一映像推移表示領域と、第一切替入力領域を配して表示する手段と、
前記第一映像表示領域に、現在の映像記録位置に基つき再生された前記複数組の抽出映像のうちのいずれかを表示する手段と、
前記第一映像推移表示領域に、前記本編映像の映像記録位置の推移を示す映像推移グラフと、当該映像推移グラフに重畳させて前記各抽出映像に対応する映像記録位置に刻印を配設表示する手段と、
さらに前記第一映像表示領域に現在表示している前記抽出映像中の現在の映像記録位置を、前記映像推移グラフに重畳させて時間推移にともない常時更新して示すとともに、かつ現在の映像記録位置を任意の前記抽出映像中の任意の映像記録位置へ移動可能に構成されたカーソルを表示する手段と、
前記第一切替入力領域に、指示がなされたタイミングで前記現在の映像記録位置を切り出し保持しつつ、当該第一画面から前記連続映像表示フェーズで表示される第二画面へ遷移する指示の入力が可能な第一釦を表示する手段と、
さらに、前記第二画面内に、少なくとも第二映像表示領域と、第二映像推移表示領域と、第二切替入力領域を配する手段と、
前記第二映像表示領域に、現在の映像記録位置に基づき再生された前記本編映像を表示する手段と、
前記第二映像推移表示領域に、前記本編映像の映像記録位置の推移を示す映像推移グラフを表示する手段と、
前記第二映像表示領域に現在表示している前記本編映像中の現在の映像記録位置を、前記映像推移グラフに重畳させて時間推移にともない常時更新して示すとともに、かつ現在の映像記録位置を前記本編映像中の任意の映像記録位置へ移動可能に構成されたカーソルを表示する手段と、
前記第二切替入力領域に、指示がなされたタイミングで前記現在の映像記録位置を切り出し保持しつつ、当該第二画面から前記抽出映像表示フェーズで表示される第一画面へ遷移する指示の入力が可能な第二釦を表示する手段と、
かつ、前記第一釦又は前記第二釦の表示中になされる前記各指示入力に基づいて前記抽出映像表示フェーズと前記本編映像表示フェーズ間を遷移し、前記第一画面又は前記第二画面のいずれかを画面表示する手段を具備することを特徴とする画面の制御装置。
【発明の詳細な説明】
【０００１】
技術分野
本発明は、画面の制御方法及び画面の制御装置に関するものである。
【０００２】
背景技術
映画やテレビドラマ、ドキュメンタリ等の物語性のある映像番組は、地上波／衛星放送及びＣＡＴＶによる放送番組や、インターネット等のネットワーク系、あるいはＤＶＤ系その他のパッケージメディア等により商品として提供され、視聴者側は所望のものを購入することにより入手している。こうした映像番組は、映像タイトルと称せられ、扱われる。
【０００３】
このような物語性のある映像タイトルを観る際には、その映像タイトルの本編映像を鑑賞する前に予告編などのプレビュー映像を観ることは、内容の理解に役立つのみならず、この本編映像を購入するか否かを決定する際の有力な参考となる。そのため現在のビデオプレーヤやＤＶＤにおいては、予め作成されたプレビュー映像がディスクメディア上に本編映像とは別個に、読み出し可能に記録されているものがある。
【０００４】
また、ＤＶＤなどのディスクメディアの中には、チャプタに分けて内容のサマリーを映像紹介し、当該チャプター開始点への直接アクセスを可能にする機能が備えられたものがある。
【０００５】
さらに近年、ホームサーバに複数の映像タイトルをライブラリとして蓄える技術が可能になりつつあり、タイトル選択のために静止画、動画のサムネイルをもつブラウザを、コンピュータ上で稼働するシステムとして稼働させることが試みられ、一部提供されている。
【０００６】
しかしながら、前記のようなディスクメディア上に本編映像と別個に作成された、予告編などの短編映像としてのプレビュー映像が記録されている構成では、プレビュー映像のシーンと本編映像のシーンが対応していないために、プレビュー映像で見つけたシーンに対応する本編映像の位置に直ちに移動して鑑賞する機能を有していない。
【０００７】
このように従来、各種メディアに添付されている予告編などのプレビュー映像は、必ずしも本編映像にその映像が含まれているわけではないので、プレビュー映像で気に入った映像部分が見つかっても、本編映像のその位置から再生するようなことができなかった。
【０００８】
また、前記のディスクメディアに設けられている、チャプタに分けて内容のサマリーを映像紹介し、当該チャプター開始点に直接アクセスする機能も、本編映像全体の流れを把握しつつ、意図する位置から観たいという利用者の要求に応え得るものではなかった。
【０００９】
一方、複数の映像タイトルを選択するためのサムネイル画像を備えるブラウザも、物語の流れや構造を表示する構成ではないゆえに、表示中の映像又は静止画の今後の展開につき十分な知識を与えるには必ずしも適するものではないという問題があった。
【００１０】
さらに一般的に、従来技術によるテレビ受像機、ビデオプレーヤ装置、ＤＶＤなどの受信・再生装置には、物語全体の流れや起承転結などの構造を表示するものや、さらに任意の再生位置の選択を可能にする機能が備わっていないという問題があった。
【００１１】
発明の開示
本発明は、前記のような従来技術における問題点を解決するためなされたもので、物語全体の流れや起承転結などの構造を表示し、任意の再生位置の選択を可能にし、さらに本編映像とプレビュー映像間の自在な遷移を可能にした画面の制御方法及び画面の制御装置を提供することを目的とする。
【００１２】
上述の如き従来技術の問題点を解決するために、本発明は、連続した映像から成る本編映像を画面表示する連続映像表示フェーズと、前記本編映像から複数の所定部分を抽出した複数組の抽出映像を順次画面表示する抽出映像表示フェーズに適用される画面の制御方法であって、前記抽出映像表示フェーズで、少なくとも第一映像表示領域と、第一映像推移表示領域と、第一切替入力領域を配した第一画面を表示し、前記第一映像表示領域に、現在の映像記録位置に基づき再生された前記複数組の抽出映像のいずれかを表示し、前記第一映像推移表示領域に、前記本編映像の映像記録位置の推移を示す映像推移グラフと、当該グラフに重畳させて前記各抽出映像に対応する映像記録位置に配設した刻印と、さらに前記第一映像表示領域に現在表示している前記抽出映像中の現在の映像記録位置を時間推移にともない常時更新して示すとともに、かつ現在の映像記録位置を任意の前記抽出映像中の任意の映像記録位置へ移動可能に構成されたカーソルを表示し、前記第一切替入力領域に、前記現在の映像記録位置を保持しつつ、当該第一画面から前記連続映像表示フェーズで表示される第二画面へ遷移する指示の入力が可能な第一釦を表示するようにし、さらに、前記連続映像表示フェーズで、少なくとも第二映像表示領域と、第二映像推移表示領域と、第二切替入力領域とを配した第二画面を表示し、前記第二映像表示領域に、現在の映像記録位置に基づき再生された前記本編映像を表示し、前記第二映像推移表示領域に、前記本編映像の映像記録位置の推移を示す映像推移グラフと、前記第二映像表示領域に現在表示している前記本編映原中の現在の映像記録位置を時間推移にともない常時更新して示すとともに、かつ現在の映像記録位置を前記本編映像中の任意の映像記録位置へ移動可能に構成されたカーソルを表示し、前記第二切替入力領域に、前記現在の映像記録位置を保持しつつ、当該第二画面から前記抽出映像表示フェーズで表示される第一画面へ遷移する指示の入力が可能な第二釦を表示するようにし、かつ、前記第一釦又は前記第二釦の表示中になされる前記各指示入力に基づいて前記抽出映像表示フェーズと前記本編映像表示フェーズ間を遷移し、前記第一画面又は前記第二画面のいずれかを画面表示することを特徴とする。
【００１３】
また、本発明は、連続した映像から成る本編映像を第二画面として表示する連続映像表示フェーズにおいて当該第二画面を表示し、前記本編映像から複数の所定部分を抽出した複数組の抽出映像を順次第一画面として表示する抽出映像表示フェーズにおいて当該第一画面を表示する画面の制御装置であって、前記第一画面内に、少なくとも、第一映像表示領域と、第一映像推移表示領域と、第一切替入力領域を配して表示する手段と、前記第一映像表示領域に、現在の映像記録位置に基づき再生された前記複数組の抽出映像のうちのいずれかを表示する手段と、前記第一映像推移表示領域に、前記本編映像の映像記録位置の推移を示す映像推移グラフと、当該映像推移グラフに重畳させて前記各抽出映像に対応する映像記録位置に刻印を配設表示する手段と、さらに前記第一映像表示領域に現在表示している前記抽出映像中の現在の映像記録位置を、前記映像推移グラフに重畳させて時間推移にともない常時更新して示すとともに、かつ現在の映像記録位置を任意の前記抽出映像中の任意の映像記録位置へ移動可能に構成されたカーソルを表示する手段と、前記第一切替入力領域に、指示がなされたタイミングで前記現在の映像記録位置を切り出し保持しつつ、当該第一画面から前記連続映像表示フェーズで表示される第二両面へ遷移する指示の入力が可能な第一釦を表示する手段と、さらに、前記第二画面内に、少なくとも第二映像表示領域と、第二映像推移表示領域と、第二切替入力領域を配する手段と、前記第二映像表示領域に、現在の映像記録位置に基づき再生された前記本編映像を表示する手段と、前記第二映像推移表示領域に、前記本編映像の映像記録位置の推移を示す映像推移グラフを表示する手段と、前記第二映像表示領域に現在表示している前記本編映像中の現在の映像記録位置を、前記映像推移グラフに重畳させて時間推移にともない常時更新して示すとともに、かつ現在の映像記録位置を前記本編映像中の任意の映像記録位置へ移動可能に構成されたカーソルを表示する手段と、前記第二切替入力領域に、指示がなされたタイミングで前記現在の映像記録位置を切り出し保持しつつ、当該第二画面から前記抽出映像表示フェーズで表示される第一画面へ遷移する指示の入力が可能な第二釦を表示する手段と、かつ、前記第一釦又は前記第二釦の表示中になされる前記各指示入力に基づいて前記抽出映像表示フェーズと前記本編映像表示フェーズ間を遷移し、前記第一画面又は前記第二画面のいずれかを画面表示する手段を具備することを特徴とする。
【００１４】
発明を実施するための最良の形態 
以下、本発明を実施するための最良の形態について図面を参照しながら詳細に説明する。なお、以下に述べる実施形態は、この発明の本質的な構成と作用を示すための好適な例の一部であり、したがって技術構成上好ましい種々の限定が付されている場合があるが、この発明の範囲は、以下の説明において特にこの発明を限定する旨の記載がない限り、これらの形態に限られるものではない。
【００１５】
本発明は、映画、テレビドラマ、ドキュメンタリなどの物語性のある映像タイトルを鑑賞し、又はそのプレビュー映像を観るに当たって、物語の複雑化や鎮静化の流れを感覚的に把握でき、起承転結やエピソードの展開も捉えやすいセマンティック・グラフを、ＧＵＩ（グラフィカルユーザーインタフェース）機能を具備したブラウジング・インタフェースによって、セマンティック・ブラウジング画面内に表示し、このセマンティック・ブラウジング画面を介して、利用者とシステムがインタラクティブに情報の授受を行うようにし、意図する内容部分の検索や、プレビュー映像と本編映像を行き来して再生するなどの、新しいインタラクティブ映像ブラウジングが可能な方法と装置を提供するものである。
【００１６】
実施形態の説明に先立って、用語の定義と説明をする。当然ながら、以下の用語には本発明に係る技術構成が含まれる。したがって各用語は本発明に限り適用されるものであり、従来技術において使用される用語とは内容を異にするものも含まれる。
【００１７】
ショットとは、連続する動画映像の最小単位である。映画におけるフィルムショットに相当する。シーンを複数に分割したショットや静止画のショットを含み、ショット間は不連続な場合もある。なお、ショットの下の階層としてセグメントを定義することも可能である。
【００１８】
シーンとは、幾つかのショットの集まりで物語の意味を構成する、連続する動画映像の単位である。
【００１９】
記録位置情報とは、記録メディア上に記録されたシーンやショットの、この記録メディア上の記録位置を示す情報であり、絶対セクタ番号、絶対トラック番号、タイムコード、絶対レコード番号等といった、記録位置に関わるあらゆる情報が対象となる。
【００２０】
本編映像とは、各映像タイトル（例えば一本の放送番組や一本の映画やドラマなど）を構成する複数のシーンやショットの集合であり、当該映像タイトルの最初から最後までの時間幅に形成されている映像である。通常、放送番組やネットを介して配信される映像タイトルや、カセット磁気テープや光ディスク等のパッケージ系の記録メディアに記録され提供されている映像タイトルは、こうした本編映像から構成されている。
【００２１】
抽出映像とは、本編映像から部分的に抽出された映像であり、プレビュー映像は、このような抽出映像が連結されて成る、用途目的に応じた抄録などの短編映像である。すなわちプレビュー映像は、本編映像を構成する各シーンや各ショットから、以下に記する映像の意味的評価値又は映像特性上の評価値のいずれか、又は両方が、それぞれの所定の条件を満たすものが抽出されて連結された映像を少なくとも含んで構成される。
【００２２】
したがってプレビュー映像には、本編映像から抽出された抽出シーンのみの連結で構成される場合や、本編映像から抽出された抽出ショットのみの連結で構成される場合や、本編映像から抽出された抽出ショットと抽出シーンが混成された連結で構成される場合等があり、さらにプレビュー映像を構成する映像と同じ映像が、本編映像中に必ず存在する。
【００２３】
すなわち、プレビュー映像を構成する各抽出シーンや各抽出ショットは、本編映像を構成するいずれかのシーンやショットと一対一の対応をしている、この特質を利用して、本発明ではプレビュー映像と本編映像間の自在の往来、すなわちブラウジングがなされる。
【００２４】
モードとは、プレビュー映像の、用途目的ごとの種類である。したがって用途目的が複数種類ある場合は、モードも複数種類となる。
【００２５】
モード例として、あらすじ型モード、ハイライト型モード、キーワード型モード、俳優オリエンテッド・モード等がある。一つの本編映像に対応して、あらすじ型モードのプレビュー映像、ハイライト型モードのプレビュー映像、キーワード型モードのプレビュー映像、俳優オリエンテッド型モードのプレビュー映像など、複数種類がある。
【００２６】
映像の意味的評価とは、その映像の与える、例えば物語の展開上のインパクトに関わる評価であり、評価者によってなされるか、又は所定の規準にしたがい自動評価がなされる。この、映像の意味的評価値が、映像の意味的評価情報として与えられる。また、この映像の意味的評価情報は、指標値の一形態である。
【００２７】
したがって、本発明にあっては、映像の意味的評価情報は、「与件」として扱われる。
【００２８】
また、映像の意味的評価情報は通常、シーン単位で与えられるが、ショット単位で与えられる場合もある。
【００２９】
映像特性上の評価とは、その映像の備える特性に関わる評価であり、例えば俳優の台詞の存在（台詞の有無）や、大音響など特殊効果等に関わる評価である。この、映像特性上の評価値が、映像特性上の評価情報となる。また、この映像特性上の評価情報は、指標値の一形態である。
【００３０】
この評価は、評価者によってなされて与件として与えられるか、又は所定の規準にしたがい評価値が自動演算される。あるいは、評価者か所定の単一又は複数の映像特性項目の有無を確認し、この有無情報を与件として評価値が自動演算される。
【００３１】
また、映像特性上の評価情報は通常、ショット単位で与えられるか、シーン単位で与えられる場合もある。
【００３２】
メタ情報とは、各映像タイトル（例えば一本の放送番組や一本の映画やドラマなど）に係る関連情報をまとめた情報であり、その構成は、
（１）本編映像解説情報：
１．１）当該本編映像全体の紹介文又は説明文のテキストデータ又は静止画データ又は音声データ １．２）複数のシーンの連結から構成されるチャプタ毎の、紹介文又は説明文のテキストデータ又は静止画データ又は音声データと   （２）ショット・シーン情報：
２．１）本編映像を形成する各ショットの記録位置情報
２．２）各シーンの記録位置情報
２．３）各ショットの評価値や属性情報
２．４）各シーンの評価値や属性情報と、
（３）相関情報
３．１）シーン番号と、このシーンを構成する各ショット番号とのリンク情報
３．２）シーン毎、又はショット毎、又はシーンとショットの混合の、映像の推移に沿った各評価値の積算値
との、各情報（１）と（２）と（３）が連結されて成る。
【００３３】
さらに、メタ情報は、上記の各情報（１）と（２）と（３）に加えて、
（４）課金指示情報：
４．１）本編映像を全体一単位で課金するための、課金レベルを含む指示情報
４．２）本編映像を従量式、すなわち取り込んだ量（時間長さ）や再生時間長さで課金するための、課金レベルを含む指示情報
４．３）本編映像のチャプタ単位やシーン単位やショット単位で課金するための、課金レベルを含む指示情報
４．４）本編映像から加工された映像（例えばプレビュー映像に課金するための、課金レベルを含む指示情報
４．５）このメタ情報自体に課金するための、課金レベルを含む指示情報
の少なくともいずれかを加えた構成とすることもできる。
【００３４】
メタ情報の例として、以下に記するセマンティック・スコアやセマンティック・コードがある。
【００３５】
セマンティック・スコアは、映像タイトルの本編映像を構成する全シーンに、与件として与えられた映像の意味的評価値（シーン・スコア）を対応させ、また全ショット又は少なくとも一部のショット毎に、映像特性上の評価値（ショット・スコア）を対応させ、これら情報と、少なくとも各シーン及び各ショットの記録位置情報あるいは経過時間情報（タイムコード）とが対応付けられ、夫々が項目として記録されている他、各シーン及び各ショットの各種の属性が記録されている、表形式の情報である。
【００３６】
セマンティック・スコアの内容に基づいて、本編映像の該当するシーンが抽出され、抽出シーンからショットが選定されて連結され、プレビュー映像が編成される。また課金がなされる。
【００３７】
このようにセマンティック・スコアは、映像タイトルのメタ情報の一形式であり、本編映像からのプレビュー映像の編集・自動生成、物語の展開を感覚的に表現したインタラクティブな、以下に記するセマンティック・ブラウジング画面を構成する際に使用される。
【００３８】
セマンティック・コードは、セマンティック・スコアの項目から少なくとも一部を選択して、その内容をコード化した、コード形式の情報である。したがってセマンティック・コードには、一例として、ある選択されたシーン内でさらに選択されたショットの、記録位置情報又は経過時間情報及びその映像特性上の評価結果が、それぞれコード記述されていて、ネットワークを介して配信容易である。
このようなセマンティック・コードは、各映像タイトルのメタ情報として編集され、映像再生装置でのプレビュー映像の自動生成、物語の展開を感覚的に表現したインタラクティブなブラウジングを行うための効率的なデータコードとなる。例えば、セマンティック・コードに基づいて、本編映像の該当するショットが抽出されて連結され、プレビュー映像が形成される。また課金がなされる。
【００３９】
フェーズとは、本発明を適用した映像再生方法の各処理過程、又は本発明を適用した映像再生装置の各作動状態を示す概念であり、フェーズ間遷移がなされる。フェーズには、映像タイトル取込記録フェーズ、映像タイトル選択フェーズ、プレビュー映像モード選択フェーズ、映像ブラウジング鑑賞フェーズ、本編映像鑑賞フェーズ、課金処理フェーズがある。
【００４０】
セマンティック・ブラウジングは、プレビュー映像又は本編映像の再生時における利用者による任意の再生位置の指示や任意の再生位置への移動、任意のタイミングによるプレビュー映像と本編映像間での切替え遷移などを可能にする機能である。さらに、閾値を更新してプレビュー映像の開示レベルを利用者に任意に設定させる機能も含まれる。
【００４１】
セマンティック・ブラウジングは、以下に記するセマンティック・ブラウジング画面を使用した利用者による入力に基づきなされ、とりわけセレクトボタン類と以下に記するセマンティック・グラフを介して、以下に記するセマンティック・ブラウザ・ソフト（セマンティック・ブラウザ手段）により実行される。
【００４２】
セマンティック・ブラウジング画面は、セマンティック・ブラウジング機能に関わる画面であり、各フェーズ毎に設けられた制御画面である、したがって複数の画面構成がある。例えば映像ブラウジング鑑賞フェーズにおいて表示される制御画面であるセマンティック・ブラウジング画面には、ウィンドウ、セレクトボタン、以下に記するセマンティック・グラフ（メイングラフと拡大グラフ）が表示される。ウインドウには、サムネイル画像、プレビュー映像、本編映像が表示される。
【００４３】
セマンティック・グラフは、主として映像ブラウジング鑑賞フェーズにおいて表示される制御画面であるセマンティック・ブラウジング画面内に表示され、物語の複雑化や鎮静化の流れに関連して予め任意に設定された各シーンの評価値（これは指標値の一例である）を、時系列グラフにより画面に表示するもので、起承転結やエピソードの展開がグラフの形状により表示される。セマンティック・グラフは、メイングラフとカーソル、拡大グラフから構成される。
【００４４】
メイングラフは、セマンティック・グラフの主要部であり、各ショット又は各シーンの指標値が所定順序に沿い順次積算された値が折れ線で表示されたグラフである。
【００４５】
拡大グラフは、メイングラフの一部分を拡大表示するグラフであり、拡大部分が折れ線表示される。また拡大倍率は利用者が任意に指定できる。
【００４６】
メイングラフや拡大グラフ上の任意の位置を、利用者が指定でき、少なくともこの指定位置情報に基づいて、セマンティック・ブラウジングが実行される。
【００４７】
ブラウジング・インタフェース機能は、セマンティック・ブラウジングにおける、利用者とシステムとの指示や表示による情報のインタラクティブな授受の動作、又はこの動作を管理する機能である。ブラウジング・インタフェース機能は少なくとも、画面上へのアイコンやボタンやグラフの表示や、利用者がこれらアイコンやボタンやグラフを操作した入力を検出・同定するためのソフトウエア（ブラウジング・インタフェース手段）により実現される。
【００４８】
セマンティック・ブラウザ・ソフト（セマンティック・ブラウザ手段）は、セマンティック・ブラウジングを実現するもので、ブラウジング・インタフェース機能のためのソフトウエア（ブラウジング・インタフェース手段）及びセマンティック・ブラウジング画面（制御画面）の管理ソフトウエア及び各種処理手段の制御ソフトウエアを含む、コンピュータにより読み取り実行可能なプログラムとして構成される。
【００４９】
次に、本発明に係る映像再生装置の構成の説明に先立って、本発明に係る映像再生方法の概要を図３に基づいて解説する。
【００５０】
本発明に係る映像再生方法においては、映像信号の処理過程が、当該処理の進行段階に対応した複数のフェーズから構成される。そして各フェーズ毎に、制御画面が表示され、これらの制御画面を介して処理が進行し、またフェーズ間遷移がなされる。
【００５１】
また各フェーズは、本発明に係る映像再生装置の作動における各段階を示すものでもある。
【００５２】
これらフェーズは、同図に示されるように、様々な映像タイトルの本編映像を外部から取り込み、大容量ストレージ装置へ記録する段階である映像タイトル取込記録フェーズＰｈ１と、取り込まれている様々な映像タイトルから利用者が所望の映像タイトルを選択する段階である映像タイトル選択フェーズＰｈ２と、選択された映像タイトルにつき利用者が所望のプレビュー映像のモードを選択し、プレビュー映像を観る段階であるプレビュー映像モード選択フェーズＰｈ３と、各種の映像ブラウジングを実行するとともに、また抽出条件を更新する段階である映像ブラウジング鑑賞フェーズＰｈ４と、本編映像をフル画面で鑑賞する段階である本編映像フル画面鑑賞フェーズＰｈ５と、本編映像やプレビュー映像などに課金する段階である課金処理フェーズＰｈ６を備える。
【００５３】
ただし同図の示すフェーズ構成は一例であり、一部のフェーズの割愛又は他のフェーズが追加されることも可能である。例えば、映像タイトルの外部からの取り込みが既になされており、また所望の映像タイトルが既決である場合などでは、映像タイトル取込記録フェーズＰｈ１と映像タイトル選択フェーズＰｈ２が割愛される。同様に、課金がなされないシステムである場合には課金処理フェーズＰｈ６が割愛される。
【００５４】
映像タイトル取込記録フェーズＰｈ１においては、このフェーズの動作の制御画面である第一フェーズ制御画面Ｇ１を表示する。第一フェーズ制御画面Ｇ１には、タイトル取り込み指示入力ｉ１用のボタンが設けられ、利用者からのタイトル取り込み指示入力ｉ１を受け付ける。受け付けた指示入力ｉ１にしたがい、利用者に映像タイトルを選択させる映像タイトル選択フェーズＰｈ２へ遷移する。
【００５５】
また、映像タイトルの取り込み時点で課金するシステムである場合は、課金処理フェーズＰｈ６へ遷移する。そして課金処理が開始されるか、課金処理が完了すると、映像タイトル取込記録フェーズＰｈ１に再度遷移する。
【００５６】
映像タイトル選択フェーズＰｈ２においては、このフェーズの動作の制御画面である第二フェーズ制御画面Ｇ２を表示する。第二フェーズ制御画面Ｇ２には、タイトル選択の指示入力ｉ２用のボタンが設けられ、利用者からのタイトル選択入力を受け付ける。タイトル選択入力を受け付けると、プレビュー映像モード選択フェーズＰｈ３へ遷移する。
【００５７】
また、この映像タイトル選択フェーズＰｈ２でタイトル選択後直ちに、本編映像の鑑賞をしたい場合に、本編映像フル画面鑑賞フェーズＰｈ５へ遷移する指示入力をすることもできる。この指示入力がなされると、本編映像フル画面鑑賞フェーズＰｈ５へ遷移する。
【００５８】
また、映像タイトルの選択の時点で課金するシステムである場合は、課金処理フェーズＰｈ６へ遷移する。そして課金処理が開始されるか、課金処理が完了すると、映像タイトル選択フェーズＰｈ２に再度遷移する。
【００５９】
プレビュー映像モード選択フェーズＰｈ３においては、このフェーズの動作の制御画面である第三フェーズ制御画面Ｇ３を表示する。また映像ブラウジング鑑賞フェーズＰｈ４からの遷移を受け付ける。
【００６０】
第三フェーズ制御画面Ｇ３には、映像表示用のウィンドウと指示入力ｉ３用のボタンが設けられ、指示入力ｉ３を受け付ける。
【００６１】
利用者が第三フェーズ制御画面Ｇ３を見ながら所望するプレビュー映像のモード指定入力ｉ３１を入力すると、この指定入力ｉ３１（図２参照）が指示するモードのプレビュー映像をウインドウへ表示する。このプレビュー映像は、当該モード毎にあらかじめ設定されている所定のデフォルト閾値に基づき編成され、再生されるものである。
【００６２】
このプレビュー映像を観て、利用者がこのタイトルの購入をする場合、購入指示と鑑賞フェーズ指示のための入力ｉ３２をすると、課金処理フェーズＰｈ６へ遷移して課金処理がなされたのち、映像ブラウジング鑑賞フェーズＰｈ４へ遷移するか、又は本編映像フル画面鑑賞フェーズＰｈ５へ遷移する。
【００６３】
購入指示と鑑賞フェーズ指示のための入力ｉ３２は、画面上の「Ｓ．グラフ」ボタン（図７参照）をクリックすることでなされる。
【００６４】
また、プレビュー映像を観るのは通常は無料であるが、プレビュー映像の再生に課金するシステムである場合は、課金処理フェーズＰｈ６へ遷移する。そして課金処理が開始されるが、課金処理が完了すると、プレビュー映像モード選択フェーズＰｈ３に再度遷移する。
【００６５】
映像ブラウジング鑑賞フェーズＰｈ４においては、このフェーズの動作の制御画面である第四フェーズ制御画面Ｇ４を表示し、指示入力ｉ４を受け付ける。第四フェーズ制御画面Ｇ４には、本編映像又はプレビュー映像を再生表示するウインドウと、とりわけ本発明を特徴付ける、セマンティック・グラフの表示領域が設けられている。このセマンティック・グラフには線図とカット位置とカーソルが夫々表示され、線図は本領映像の全体の流れを示し、カット位置はプレビュー映像のモード毎の複数のカット位置を線図上に表示し、またカーソルは現在の再生位置を時間経過にともない移動しつつ表示する。さらにカーソルは、線図上の所望の位置へ移動可能に構成されている。
【００６６】
上記に加えて第四フェーズ制御画面Ｇ４には、指示入力ｉ４用の各種ボタンの他、映像の再生の開始、一時停止、再開、停止、戻し、早送り等の映像制御ボタンが設けられている。利用者は各種の指示入力ｉ４を行うことにより、後に詳述するような様々なブラウジング鑑賞（本編映像、プレビュー映像ともにブラウジング）を楽しむことができる。
【００６７】
プレビュー映像の再生が指示されると、ウィンドウにそのモードのプレビュー映像を再生し、このプレビュー映像の再生途中で、カーソルの移動入力があれば、そのモードのプレビュー映像の、ある部分から他の部分への移動ブラウジングと判断して、当該部分へ移動してそのモードのプレビュー映像の再生を続行する。また、ウィンドウにプレビュー映像を再生中にウィンドウ内をクリックすることにより、再生映像を画面全体に広げることもできる。
【００６８】
また本編映像の再生が指示されると、ウィンドウに本編映像を再生し、この再生途中で、カーソルの移動入力があれば、本編映像の、ある部分から他の部分への移動ブラウジングと判断して、当該部分へ移動して本編映像の再生を続行する。本編映像の再生は、画面上の「全編」ボタン（図８参照）をクリックすることでなされる。また、ウィンドウに本編映像を再生中にウィンドウ内をクリックすることにより、再生映像を画面全体に広げることもできる。
【００６９】
また、この映像ブラウジング鑑賞フェーズＰｈ４では、利用者からの指示入力に基づき、プレビュー映像の当該モードに対する映像抽出条件である「閾値」を更新（厳しくするか、緩める）するための入力をすることもできる、 「閾値」を更新が入力されると、「閾値」を更新し、新しい「閾値」による、そのモードのプレビュー映像を再生する。
【００７０】
一方、指示入力ｉ４の内容が、プレビュー映像から本編映像への切替えブラウジングを指示するものが、又は本編映像からプレビュー映像への切替えブラウジングを指示するものであれば、ウインドウ内の映像をその都度、現在の再生位置を維持して、切り替える。
【００７１】
また、指示入力ｉ４の内容が、本編映像フル画面表示の指示であれば、このブラウジングフェーズから本編映像フル画面鑑賞フェーズＰｈ５へ遷移する。本編映像フル画面表示の指示は、全編再生時にウインドウの任意の位置をクロックすることでなされる。
【００７２】
あるいは、指示入力ｉ４の内容が、プレビュー映像モード選択フェーズＰｈ３に戻る指示であれば、プレビュー映像モード選択フェーズＰｈ３へ遷移する。
【００７３】
本編映像フル画面鑑賞フェーズＰｈ５では、画面全体に本編映像を表示する。
【００７４】
ここで、前記のように映像タイトル選択フェーズＰｈ２から直接遷移した場合には、課金処理をするため課金処理フェーズＰｈ６へ遷移する。そして課金処理が開始されるか、課金処理が完了すると、本編映像フル画面鑑賞フェーズＰｈ５へ再度遷移する。
【００７５】
本編映像フル画面鑑賞フェーズＰｈ５では、ブラウジング開始の指示か、又は映像タイトル取込記録フェーズＰｈ１へ戻る指示のための指示入力ｉ５を受け付ける。この指示入力ｉ５が、ブラウジング開始の指示であれば、現在の再生位置情報を載せて、映像ブラウジング鑑賞フェーズＰｈ４へ遷移する。
【００７６】
さらに、指示入力ｉ５の内容が、映像タイトル取込記録フェーズＰｈ１へ戻る指示であれば、現在の再生を停止して映像タイトル取込記録フェーズＰｈ１へ遷移する。
【００７７】
以下、本発明に係る映像再生装置の実施形態を説明する。
【００７８】
図１は、本発明に係る映像再生装置の実施形態のブロック構成図である。また図２は、図１中に示されるセマンティック・ブラウザ手段のブロック構成図である。
【００７９】
図１に示されるように、本発明に係る映像再生装置ＶＰ１は、セマンティック・ブラウザ手段Ｃ１と、受信部Ｃ１０と、記録再生回路Ｃ１１と、高速ストレージ装置Ｃ１２と、駆動機構Ｃ１３と、デスクランブル部Ｃ１４と、ディスプレイ装置Ｃ１５と、リモートコントローラＣ１６と、課金処理部Ｃ１８を具備する。
【００８０】
さらに、ドライブ機構Ｃ１９と、先読みメモリＣ２０を具備して構成することも可能である。
【００８１】
駆動機構Ｃ１３は、書込／読出ヘッド及び回転機構部を備えるもので、例えばＤＶＤ＋ＲＡＭに代表される書換え可能なＤＶＤメディアなどの、大容量ストレージ・メディアＭ１を装着してデータの記録と再生を行う。
【００８２】
大容量ストレージ・メディアＭ１は、映像信号（本発明で記載される映像信号は、映像に関わる信号と音声に関わる信号とをまとめて、便宜的に「映像信号」と定義している）が、その記録位置に関わる記録位置情報とともに記録され、又は記録可能な記録メディアであり、光学式記録メディア又はテープ又はディスク形状の磁気記録メディアのうち、記録位置情報が記録される形式のものが適する。
【００８３】
このような記録位置情報は、例えば光ディスク／光磁気ディスク媒体やハード磁気ディスク媒体にあってはセクタ番号やトラック番号等で記録され、この記録位置情報が、再生時に現在のアドレスすなわちカレント・アドレスとして出力され、また再生が開始されるべきターゲット・アドレスとして措定を受けた際にサーチされる。
【００８４】
またビデオテープ媒体にあっては傾斜トラックに関する絶対トラック番号や、タイムコードが、当該傾斜トラック又は長手トラックにアクセス可能に記録される。
【００８５】
またドライブ機構Ｃ１９には、メモリスティックやメモリカード装置に代表されるデータキャリア装置が装着される。
【００８６】
セマンティック・ブラウザ手段Ｃ１は、プレビュー映像を本編映像から自動生成し、各種プレビューモードの再生をするとともに、プレビュー映像と本編映像間をリンクした再生などのブラウジングを実行するとともに、各種の制御を実行する。セマンティック・ブラウザ手段Ｃ１の構成と動作は、後に図２に基づいて詳述される。
【００８７】
受信部Ｃ１０は、衛星デジタル放送や地上波デジタル放送などの無線放送や、ＣＡＴＶなどの有線デジタル放送といった放送系をはじめ、インターネットなどのネット系と接続し、種々の映像タイトルの本編映像データ及びそのメタ情報データを信号として受信するものであり、チューナ回路やＡＧＣ回路、検波回路、デマルチプレクサ等から成る。
【００８８】
受信部Ｃ１０は、セマンティック・ブラウザ手段Ｃ１からの制御信号により制御され、受信処理したデータを分離して記録再生回路Ｃ１１へ送る。
【００８９】
メタ情報は、各映像タイトル毎に準備されるもので、映像タイトルを特定させるデータと、その映像タイトルを構成する各ショットを評価したショット評価値（すなわちショットスコア）、各シーンを評価したシーン評価値（すなわちシーンスコア）、各ショットのタイムコード、各シーンのタイムコード、各シーンに属するショットのリスト、さらにこの映像タイトルのサムネイル画像データ、それに当該映像タイトルに関わる属性、課金情報等からなる。
【００９０】
メタ情報データは、これらをコード形式に編成したセマンティック・コードとして供給される。
【００９１】
ここで、本発明において適用されるメタ情報の一例であるセマンティック・コードの構成と、その使用につき説明する。
【００９２】
図１９は、メタ情報であるセマンティック・コードの構成の説明図であり、データの論理的構成が示されている。
【００９３】
セマンティック・コードは、ヘッダ情報に係るコード（Ａ）と、映像タイトル解説情報に係るコードからなる本編映像情報（Ｂ）と、本編映像のショット・シーン情報を含めたメインコード（Ｃ）からなる。すなわち、映像タイトル解説情報に係るコードからなる本編映像情報（Ｂ）は、本編映像を特定する情報であり、メインコード（Ｃ）はショット又はシーンに関する所定の情報を含むものである。
【００９４】
Ａ．ヘッダ情報
ａ１：番組に関する一般情報（番組名、番組コード、放送チャンネル、放送日時、番組ジャンル、等）と、本編映像情報の項目０１０のアドレスのポインタｑ１、又は本編映像情報の項目０１１のアドレスのポインタｑ２
ａ２：属性のアイテム情報０００＝属性の有無フラグ００１＝用途又はプレビューモード
ａ３：メインコードの選択指示を行うための選択指示情報
この選択指示情報により、メインコード（Ｃ）中の１又は２以上のシーンファイル（Ｃ１）を選択に指示することができる。
【００９５】
Ｂ．本編映像情報
０１０＝当該本編映像全体の紹介文又は説明文のテキストデータ又は静止画データ（サムネイル画像データ）又は音声データ
０１１＝複数のシーンの連結から構成されるチャプタ毎の、紹介文又は説明文のテキストデータ又は静止画データ（サムネイル画像データ）又は音声データ
【００９６】
Ｃ．メインコード
メインコードには、シーンファイルと、ショットファイルと、相関ファイルが記録される。
Ｃ１：シーンファイル
各シーンについて以下を記録
０２０＝シーン番号＃及びポインタｐ
０２１＝シーン評価値Ｓｎ
０２２＝タイムコード（始点ｔｓ、終点ｔｅ）
Ｃ２：ショットファイル
各ショットについて以下を記録
０３０＝ショット番号＃
０３１＝ショット評価値Ｓｈ、他の属性（用途等）
０３２＝タイムコード（始点ｔｓ、終点ｔｅ）
このタイムコード０３２はショットの一部の区間を指定することもできる。例えば、始点ｔｓと終点ｔｅの一方のみを指定した場合、又は、始点ｔｓと終点ｔｅを同値とした場合は、静止画を示す。
Ｃ３：相関ファイル
０４０＝シーン番号Ｓｎ＃と、ショット番号Ｓｈ＃のリンクデータ。
ここでは、一つのシーン番号Ｓｎ＃のシーンに含まれる複数のショットＳｈ＃１、Ｓｈ＃２等の各番号が、このシーン番号にリンクされている。このリンクデータ０４０は、重み付けソート順又は時間順のリンクデータであり、ｎｕ１１によりスキップを示すこともできる。
【００９７】
さらに、以下のような課金指示に係るコード（Ｇ）を連結した構成にできる。
【００９８】
Ｇ．課金指示コード
０５０＝本編映像を全編一単位で課金するための、課金レベルを含む指示情報
０５１＝本編映像を従量式、すなわち取り込んだ量（時間 長さ）や再生時間長さで課金するための指示情報
０５２＝本編映像のチャプタ単位やシーン単位やショット単位で課金するための、課金レベルを含む指示情報
０５３＝本編映像から加工された映像（例えばプレビュー映像）に、レベルに応じて課金するための、課金レベルを含む指示情報
０５４＝このメタ情報自体に課金するための、課金レベルを含む指示情報
上記で、ショット評価値０３１に附帯させる属性の記述に基づいて、様々な意味をもった複数ショットをリンクデータ０４０内に含ませることも可能である。
【００９９】
また、セマンティック・コードのデータ量を節約するために、ショットファイルＣ２のデータを、一定のシーン評価値０２１（シーンファイル内の）以上のシーンに含まれるショットのみに限ることも可能である。
【０１００】
また、ショットファイルＣ２のデータとして、全シーン０２０に対する総てのショット０３０とそのショット評価値０３１を含ませることも可能である。これはとりわけ、オーサリング用データとして有効である。
【０１０１】
上記シーンファイルＣ１において、各シーン評価値０２１とタイムコード０２２が、このシーンの番号０２０と対応付けられる。シーン番号０２０に添付されるポインタｐは、相関ファイルＣ３の該当するリンクデータ０４０の先頭アドレスを指す。
【０１０２】
このデータ構造により、シーン評価値０２１のチェックで選出するシーンが定まると、このシーン番号０２０に添付されるポインタｐにより、該当するリンクデータ０４０に迅速にエントリすることができる。
【０１０３】
また、リンクデータ０４０において、ひとつのシーン番号Ｓｎ＃に対し複数個のショット番号Ｓｈ＃ｎ（ｎ＝１、２、‥‥）が存在する場合は、セマンティック・コードの制作時に、これら複数個のショット番号を、ショット評価値０３１に基づきソートした順に並べてリンクデータ０４０として記録することが好ましい。
【０１０４】
このデータ構造により、シーン番号０２０のシーンから代表的なショットを選出する際に、そのシーン番号０２０のポインタｐにより相関ファイルＣ３中の対応しているリンクデータ０４０に飛び、このリンクデータ０４０内に並んだショット番号Ｓｈ＃ｎ中の先頭のショットを選べばよく、これによってショット選出時間が短縮される。
【０１０５】
さらに、選定したショット番号に基づき、ショットファイルＣ２中の当該ショット番号に合致するショット０３０の、対応したタイムコード０３２から始点ｔｓと終点ｔｅが読み出される。このタイムコード０３２に基づいて本編映像から該当するショット映像が抽出されることになる。
【０１０６】
また、プレビュー映像時間長さの調整等で、ひとつのシーン番号０２０のシーンから２個以上のショットを選出するような場合にも、対応しているリンクデータ０４０に飛び、このリンクデータ０４０内に並んだ先頭のショットから順に必要数だけ取り出せばよく、ショット選出時間を短縮させることができる。
【０１０７】
また、上記は、シーン評価値に基づく該当シーンの選定後に、このシーンに属するショットを選定し、このショット映像を始点から終点まで抽出する際に使用されるものであったが、これに替わり、シーン単位で映像を抽出する際に使用することもできる。このシーン単位の場合は、シーンファイルＣ１中のシーン評価値０２１に基づきシーンが選定され、そのシーンのタイムコード０２２（始点ｔｓと終点ｔｅ）を読み出し、このタイムコード０２２に基づいて本編映像から該当するシーン映像が抽出される。同様に、シーン単位の映像とショット単位の映像を混合して抽出する際に使用することも可能である。
【０１０８】
例えば、要約映像を構成する複数のショットａ，ｂ，ｃ，ｄ，ｅ，ｆ，ｇを含む図２０Ａに示すような本編映像に対して、ショットファイルＣ３に上記要約映像を構成する複数のショットａ，ｂ，ｃ，ｄ，ｅ，ｆ，ｇをショットファイルＣ３に定義しておき、例えば図２０Ｂに示すように、メインコードの選択指示を行うための選択指示情報ａ３により選択されるメインコード（Ｃ）中の１のシーンファイルＣ１とショットファイルＣ２を相関ファイルＣ３により関連付けることにより、図２０Ｃに示すように要約映像（ａ，ｅ，ｇ）を構成することができる。
【０１０９】
この場合、相関ファイルＣ３には、シーンＡ１とショットａ、シーンＡ２とショットｅ及びシーンＡ３とショットｇを関連付ける定義がなされている。
【０１１０】
また、複数のシーンファイルＣ１、ショットファイルＣ２及び相関ファイルＣ３を持つことにより、同一タイトルから複数の要約映像を生成することができる。例えば、俳優別ハイライトサマリーを構成する複数のショットａ，ｂ，ｃ，ｄ，ｅ，ｆ，ｇを含む図２１Ａに示すような本編映像に対して、ショットファイルＣ３に上記俳優別ハイライトサマリーを構成する複数のショットａ，ｂ，ｃ，ｄ，ｅ，ｆ，ｇをショットファイルＣ３に定義しておき、例えば図２１Ｂ〜図２１Ｄに示すように、メインコードの選択指示を行うための選択指示情報ａ３により選択されるメインコード（Ｃ）中の３つのシーンファイルＣ１とショットファイルＣ２を相関ファイルＣ３により関連付けることにより、図２１Ｅ〜図２１Ｇに示すように、各俳優Ａ，Ｂ，Ｃのハイライトサマリー（ａ，ｅ，ｇ），（ｂ，ｆ，ｇ），（ｃ，ｄ，ｇ）を構成することができる。この場合、相関ファイルＣ３には、俳優Ａのハイライトサマリー（ａ，ｅ，ｇ）を構成する各ショットａ，ｅ，ｇを各シーンＡ１，Ａ２，Ａ３に関連付け、俳優Ｂのハイライトサマリー（ｂ，ｆ，ｇ）を構成する各ショットｂ，ｆ，ｇを各シーンＢ１，Ｂ２，Ｂ３に関連付け、さらに、俳優Ｃのハイライトサマリー（ｃ，ｄ，ｇ）を構成する各ショットｃ，ｄ，ｇを各シーンＣ１，Ｃ２，Ｃ３に関連付ける定義がなされる。
【０１１１】
また、図２２に示すように、１つのシーンファイルＣ１に対して複数の相関ファイルＣ３とショットファイルＣ２を持つことにより、例えば課金レベルによる時間や内容の差別化を図るなど多様なフィーチャーの要約映像を生成することができる。
【０１１２】
さらに、１つのシーンファイルＣ１に対して複数の相関ファイルＣ３を持つことにより、多様な本編バージョンを生成することができる。すなわち、ヘッダ情報のａ３（属性のアイテム情報）により限定モードの選択肢を設け、メインコードのＣ１（シーンファイル）、Ｃ２（ショットファイル）、Ｃ３（相関ファイル）の記述データにより、見せない部分をスキップして再生する。メインコードのＣ１（シーンファイル）、Ｃ２（ショットファイル）、Ｃ３（相関ファイル）は、見せない部分を指示するものとする。タイトル購入時に視聴者が選択・指示することにより、同一本編データでありながら視聴者の年齢、宗教、その他の適正に合った内容を提示することが可能となる。例えば、国や文化の違いあるいはレイティングなどによって選択的に制限される複数のショットａ，ｂ，ｃを含む図２３Ａに示すような本編映像に対して、ショットファイルＣ３に上記複数のショットａ，ｂ，ｃをショットファイルＣ３に定義しておき、例えば図２３Ｂに示すように、メインコードの選択指示を行うための選択指示情報ａ３により選択されるメインコード（Ｃ）中の１のシーンファイルＣ１とショットファイルＣ２を複数の相関ファイルＣ３により関連付けることにより、図２３Ｃ〜図２３Ｆに示すように、多様な本編バージョンを生成することができる。
【０１１３】
この場合、相関ファイルＣ３には、シーンファイルＣ１で定義された本編映像のシーンとショットａを関連付け、ショットｂ，ｃとの関連付けをｎｕｌｌとした相関ファイルＡ、シーンファイルＣ１で定義された本編映像のシーンとショットｂを関連付け、ショットａ，ｃとの関連付けをｎｕｌｌとした相関ファイルＢ、シーンファイルＣ１で定義された本編映像のシーンとショットｃを関連付け、ショットａ，ｂとの関連付けをｎｕｌｌとした相関ファイルＣ、シーンファイルＣ１で定義された本編映像のシーンと各ショットａ，ｂ，ｃを関連付けをすべてｎｕｌｌとした相関ファイルＤが定義されている。
【０１１４】
ここで、シーンの評価には、映像の意味的評価を採用し、例えば物語の複雑化を表すシーンを（＋）値とし、鎮静化を表すシーンを（−）値とし、その度合いを夫々、絶対値０．０から１．０までの実数値で表す。複雑化とは、新たな問題の発生や、それによってもたらされる登場人物の心理的葛藤の高まりを意味し、鎮静化とは、問題の解決や、それによってもたらされる登場人物の精神的解放やカタルシスを意味する。
【０１１５】
映画やテレビ番組等の予告編に見られるプレビューは、一般に問題の発生や新しい状況・人間関係の新たな展開など複雑化の部分を多くして興味を引きつけ、解決場面や結末などの鎮静化のシーンは余り示さない場合が多い。したがってシーン選択のデフォルトの閾値として、複雑化シーンを反映させたシーン評価値Ｓｎ（＋）≧０．６、鎮静化シーンを反映させたシーン評価値Ｓｎ（−）≦−０．８とする。映画やテレビ番組には、導入部に物語の状況説明やドラマの発端がさりげなく仕組まれている。したがって導入部のデフォルトの閾値は０．１ポイント下げて、複雑化シーンを反映させたシーン評価値Ｓｎ（＋）≧０．５、鎮静化シーンを反映させたシーン評価値Ｓｎ（−）≦−０．７とする。
【０１１６】
このようにシーン評価値Ｓｎを実数値で与える場合、ピークシーンの位置はアルゴリズムで計算することになる。
【０１１７】
上記シーン評価値Ｓｎは、２値（０，１）で与えるようにすることもできる。この場合、Ｓｎ＝１は、ハイスコアシーンとピークシーンを表す。このようにシーン評価値Ｓｎを２値（０，１）で与えることにより、データ構成及び演算処理を簡略化することができる。また、送り側で見せても良い部分を明確に限定することができる。なお、シーン評価値Ｓｎ＝１の意味は必ずしもセマンティックスコアによらなくともよく、送り側の恣意的な選択もあり得る。例えば、肖像権やレイティングの関係で見せたくないシーンはシーンスコアが高くても要約映像から外すことになる。逆にマーケッティングの観点から、セマンティックスコアが低くても見せたい映像もある。
【０１１８】
また、上記シーン評価値Ｓｎは、整数値（０，１，２，３）で与えるようにすることもできる。この場合、Ｓｎ＝１はハイスコアシーン、Ｓｎ＝２はピークシーン、Ｓｎ＝３は情景シーンなどを表す。このように上記シーン評価値Ｓｎを整数値（０，１，２，３）で与えることにより、シーンの種類に応じてショットファイルＣ２へのリンクを変えて、ショット内の必要な提示秒数や位置を指示することができる。
【０１１９】
さらに、上記シーン評価値Ｓｎは、開示レベルを示す整数値（０，１，２，３，４）で与えるようにすることもできる。この場合、スコアを演算して開示レベルに応じたシーンを選択するよりも、送り側がコード化の段階で単純なランク付けを行った整数値（０，１，２，３，４）に置き換えることにより、実行時の負担を軽減することができる。なお、ランク付けは、ハイスコアシーン、ピークシーン、情景シーンなども勘案して行われる。
【０１２０】
ここで、本編映像からその一部分すなわちショット映像を抽出してプレビュー映像を編成する場合、例えば２時間の映画から１〜２分の要約映像を作成する場合に、本編のショット又はシーンのままでは時間が長すぎて、多くのカットを入れることができない。そこで、コード化された段階でのショットファイルＣ２は、ショットにおける開示可能な区間を規定するものとする。これにより、ショット内の真に見せたいカットだけを選択的に提示することができる。商業用の予告編に使われている映像カットは１秒〜２秒、あるいはそれ以下のものが多く、緊張感のある映像となっている。これは、数秒〜数１０秒からなるある本編ショットのほんの一部を切り出したものである。そして、一般的にショットの始めは説明的あるいは導入的な映像が多く、最後の部分で最も強い問題提起や解決を持ってくる場合が多いので、ショット又はシーンから要約映像を自動で抽出するアルゴリズムとしては、最後から規定秒数だけ切り取ることが有効である。
【０１２１】
記録再生回路Ｃ１１は、受信部Ｃ１０から入力されたデータのうち、映像タイトルのメタ情報データを高速ストレージ装置Ｃ１２に送って記録させ、また映像タイトルの本編映像データを駆動機構Ｃ１３へ送る。この本編映像データは駆動機構Ｃ１３の備える書込／読出ヘッドにより大容量ストレージ・メディアＭ１へ記録格納される。
【０１２２】
また記録再生回路Ｃ１１は受信部Ｃ１０から入力された映像タイトルの本編映像データを直接、デスクランブル部Ｃ１４へ送るか、又は本編映像データを大容量ストレージ・メディアＭ１から駆動機構Ｃ１３を介して読み出して、デスクランブル部Ｃ１４へ送る。
【０１２３】
さらに記録再生回路Ｃ１１は、受信部Ｃ１０から分離入力された映像タイトルのメタ情報データを直接、データＣ１１ａとしてセマンティック・ブラウザ手段Ｃ１へ送るか、又はメタ情報データを高速ストレージ装置Ｃ１２から読み出して、データＣ１１ａとしてセマンティック・ブラウザ手段Ｃ１へ送る。
【０１２４】
高速ストレージ装置Ｃ１２は、とりわけ高速シークタイム特性を備える中規模記憶容量のリジッド磁気ディスク装置などにより構成され、各映像タイトルのメタ情報データｍｄｔ１、ｍｄｔ２、‥‥、ｍｄｔ６等が格納される。映像タイトルのメタ情報データｍｄｔにｍｄｔ２、‥‥、ｍｄｔ６等は、上記のように受信部Ｃ１０から記録再生回路Ｃ１１を経て入力される。
【０１２５】
又は、後述するようにメタ情報データｍｄｔ１、ｍｄｔ２、‥‥、ｍｄｔ６等が記憶されたメモリスティックＭ２から、ドライブ機構Ｃ１９とセマンティック・ブラウザ手段Ｃ１と記録再生回路Ｃ１１を介して入力される。
【０１２６】
高速ストレージ装置Ｃ１２に入力されたメタ情報データｍｄｔ１、ｍｄｔ２、‥‥、ｍｄｔ６等は、メタ情報ファイルとして記録され、これらメタ情報ファイルは自在な読み出し、及び更新が可能に構成される。
【０１２７】
また、メタ情報データを分散して、メタ情報中の各映像タイトルのサムネイル画像などの画像データをサムネイル画像群ｓｄｔ１〜ｓｄｔ６として、大容量ストレージ・メディアＭ１へ記憶格納させる構成も可能である。
【０１２８】
さらに、大容量ストレージ・メディアＭ１及び駆動機構Ｃ１３が高速アクセスに適うものであれば、メタ情報データｍｄｔ１、ｍｄｔ２、‥‥、ｍｄｔ６等を本編映像データとともに大容量ストレージ・メディアＭ１へ記憶格納するようにして、高速ストレージ装置Ｃ１２を省略することも可能である。
【０１２９】
また各メタ情報データに、サムネイル画像などの画像データが含まれない構成の場合は、例えばＤＲＡＭやフラッシュメモリなどの半導体メモリにより構成することも可能である。
【０１３０】
駆動機構Ｃ１３は、大容量ストレージ・メディアＭ１を装着し、又は内蔵し、この大容量ストレージ・メディアＭ１から、記録位置情報に基づきアクセスされた映像信号を読み出して再生信号とする機能を備えるものである。
【０１３１】
大容量ストレージ・メディアＭ１がＤＶＤなど光学系ディスクメディアや、ＨＤＤなどリジッド磁気ディスクメディアの場合は、モータなど回転駆動系の機構と、書込／読出ヘッドを備え、セマンティック・ブラウザ手段Ｃ１からの制御信号を受けて作動し、記録再生回路Ｃ１１から受けた記録データを大容量ストレージ・メディアＭ１へ書き込み、読み出したデータを記録再生回路Ｃ１１へ出力する。
【０１３２】
例えば再生時に、書込／読出ヘッドからの出力信号に基づきカレント・アドレスを再生継続中は常時出力し、また外部から入力されるターゲット・アドレスを受けて、書込／読出ヘッドを当該アドレスの位置まで移動させる。
【０１３３】
デスクランブル部Ｃ１４は、スクランブルが施されている本編映像データを記録再生回路Ｃ１１を介して受け、スクランブルを解除した本編映像データに編集してセマンティック・ブラウザ手段Ｃ１へ出力する。デスクランブル部Ｃ１４は、図示されない中央演算処理装置（マイクロコンピュータ）により読み取り実行可能なプログラムとして構成され、セマンティック・ブラウザ手段Ｃ１から制御指示（不図示）を受けて作動する。
【０１３４】
セマンティック・ブラウザ手段Ｃ１は、図示されない中央演算処理装置（マイクロコンピュータ）により読み取り実行可能なプログラムとして構成され、受信部Ｃ１０へ制御指示Ｃ１ｄを発して映像信号の取り込みを制御し、駆動機構Ｃ１３へ制御指示を発して大容量ストレージ・メディアＭ１へのアクセスを制御する。また制御指示を信号Ｃ１１ａに載せて記録再生回路Ｃ１１へ発し、記録再生回路Ｃ１１を経て高速ストレージ装置Ｃ１２を間接制御する。
【０１３５】
セマンティック・ブラウザ手段Ｃ１は更に、記録再生回路Ｃ１１を経て、受信部Ｃ１０が受信し分離したメタ情報データを信号Ｃ１１ａに載せて取り込むか、又は高速ストレージ装置Ｃ１２内に記録されているメタ情報データを信号Ｃ１１ａに載せて取り込み、またデスクランブル部Ｃ１４からスクランブルを解除した本編映像データを取り込み、リモートコントローラＣ１６から受けた入力信号Ｃ１６ａに基づいて本編映像又はプレビュー映像をディスプレイ装置Ｃ１５へ表示させる。
【０１３６】
ここでプレビュー映像は、本編映像データから所定の部分映像が抽出された抽出映像が連結された、プレビュー機能をもつ映像である。
【０１３７】
セマンティック・ブラウザ手段Ｃ１は更に、課金処理部Ｃ１８へ制御指示Ｃ１ｅを発して、本編映像又はプレビュー映像の再生に先立って一括課金を実行させるか、又は本編映像又はプレビュー映像の再生時間又は再生回数に基づく従量課金を実行させる。
【０１３８】
セマンティック・ブラウザ手段Ｃ１は更に、フラッシュメモリ等から成る先読みメモリＣ２０に、プレビュー映像データを信号Ｃ１ｂとして暫定記録するとともに時間差をつけて再度読み出し、このように先入れ先出し制御をすることにより、部分映像の連結において生じる映像の途切れを解消する構成とすることも可能である。
【０１３９】
また、上記においてはメタ情報データを、受信部Ｃ１０から受けるか、又は高速ストレージ装置Ｃ１２から取り出すものとしたが、これ以外にも、メモリスティックＭ２に記録されているメタ情報データを、ドライブ機構Ｃ１９を経て信号Ｍ２ａとして取り出す構成とすることも可能である。
【０１４０】
逆に、例えば受信部Ｃ１０から受けたメタ情報データを、書き込み可能なメモリスティックＭ２に記録し保存する構成とすることも可能である。
【０１４１】
ついで以下に、図２を参照してセマンティック・ブラウザ手段Ｃ１の構成と動作を詳説する。セマンティック・ブラウザ手段Ｃ１（具体的にはセマンティック・ブラウザ・ソフト）はＧＵＩ機能を内蔵し、前記のメタ情報データをセマンティック・コードとして、放送番組や、インターネットを経由して取り込み、ハードディスク又はＤＶＤなどの高速アクセス可能なメディアに記録するとともに、セマンティック・コードと本編映像から自動生成した、あらすじモード、ハイライトモード、各俳優のモードなどのプレビュー映像を再生し、また本編映像を再生し、これらの間のブラウジングを可能とし、さらに前記の各種の課金を実行するものである。
【０１４２】
セマンティック・ブラウザ手段Ｃ１は、図２に示されるように、ブラウジング・インタフェース手段Ｐｇ１、表示画面編成手段Ｐｇ２、映像取込手段Ｐｇ３、タイトル制御手段Ｐｇ４、サムネイル画像再生手段Ｐｇ５、本編映像再生制御手段Ｐｇ６、プレビュー映像編成手段Ｐｇ７、プレビュー映像再生制御手段Ｐｇ８、カーソル制御手段Ｐｇ９、さらにプレビュー／本編切替手段Ｐｇ１０を備える。
【０１４３】
さらに、本編映像又はプレビュー映像に一括課金するが、又はこれらの再生時間や再生回数に応じて従量課金する課金処理部Ｃ１８（図１参照）を制御する課金制御手段Ｐｇ１１を備える。
【０１４４】
さらに、プレビュー映像の再生時に、例えばＤＶＤプレーヤ等では離れたセクタ上の抽出シーンに離散的にアクセスする際に映像の途切れが生じることがあるが、このような抽出シーンの接続部分で発生する画面の途切れを防止して映像の流れを円滑にするために、画像データの先読み先出しを制御する先読み制御手段Ｐｇ１２を備える。先読み制御手段Ｐｇ１２は、先読みメモリＣ２０（図１参照）を制御する。
【０１４５】
さらに、本編映像やプレビュー映像の所望の記録位置に、栞を挿入し、又は挿入された栞の位置から再生を実行するための栞挿入／検索手段Ｐｇ１３を備えて構成することも可能である。
【０１４６】
以下、各手段につき説明する。
【０１４７】
ブラウジング・インタフェース手段Ｐｇ１は、電源オン時や、のＳ（オペレーティングシステム）から付与される起動信号によってトリガされ、起動時に対応するデフォルト画面である、開始時セマンティック・ブラウジング画面（図示されない）をディスプレイ装置Ｃ１５（図１参照：以下、同様）に表示させる。ついて、この開始時セマンティック・ブラウジング画面上のボタンからの利用者の入力を待機する。利用者からの入力が発生すると、後述されるように各手段とのインタフェースを行う。また各手段とデータ授受し、制御指示を発する。
【０１４８】
なお、このブラウジング・インタフェース手段Ｐｇ１の機能の詳細は以下の記述によって明らかにされる。
【０１４９】
表示画面編成手段Ｐｇ２は、スクランブル解除された本編映像、プレビュー映像、サムネイル画像を受け、さらにブラウジング・インタフェース手段Ｐｇ１からレイアウト指示を受けて指示された構成の画面をディスプレイ装置Ｃ１５へ表示させる。
【０１５０】
スクランブル解除された本編映像は、デスクランブル部Ｃ１４から供給され、サムネイル画像は格納されている大容量ストレージ・メディアＭ１又は高速ストレージ装置Ｃ１２から供給される。
【０１５１】
また、プレビュー映像は、大容量ストレージ・メディアＭ１から、シークタイムや回転待ち発生によるアイドルタイムを挾んで間欠的に送られる映像として受けるか、又は先読み制御手段Ｐｇ１２を介してアイドルタイムが除去された映像として受ける。
【０１５２】
タイトル取込手段Ｐｇ３は、利用者によって入力された映像タイトルのとりこみ指示ｉ１に基づきブラウジング・インタフェース手段Ｐｇ１が編成したとりこみ指示情報を、ブラウジング・インタフェース手段Ｐｇ１から受け、受信部Ｃ１０が受信した本編映像（動画と音声）とサムネイル画像（静止画）、及びメタ情報（データ）を取り込み、大容量ストレージ・メディアＭ１に本編映像とサムネイル画像を記録し、高速ストレージ装置Ｃ１２にメタ情報を記憶する。
【０１５３】
あるいは、大容量ストレージ・メディアＭ１に本編映像を記録し、高速ストレージ装置Ｃ１２にサムネイル画像が組み込まれたメタ情報を記憶する。
【０１５４】
記録又は記憶されたメタ情報は、ブラウジング・インタフェース手段Ｐｇ１によって読み出される。
【０１５５】
なお映像タイトルは、地上波放送や衛星放送などの無線放送の番組をはじめ、ＣＡＴＶやインターネット放送、さらにパッケージ系などのあらゆる供給系からの映像が対象となる。
【０１５６】
タイトル制御手段Ｐｇ４は、サムネイル画像再生手段Ｐｇ５へトリガ信号を送って映像タイトル表示の指示をし、利用者からの映像タイトル選択入力ｉ２をブラウジング・インタフェース手段Ｐｇ１を経由して受け、選択タイトル情報をプレビュー映像編成手段Ｐｇ７へ送る。
【０１５７】
サムネイル画像再生手段Ｐｇ５は、タイトル制御手段Ｐｇ４からトリガ信号を受けると、大容量ストレージ・メディアＭ１又は高速ストレージ装置Ｃ１２に記録されているサムネイル画像を読み出し、これを表示画面編成手段Ｐｇ２へ送付する。
【０１５８】
本編映像再生制御手段Ｐｇ６は、本編映像再生指示をブラウジング・インタフェース手段Ｐｇ１から受け、あるいは、利用者からのプレビュー／本編切替指示ｉ４３をプレビュー／本編切替手段Ｐｇ１０を経由して受け、またカーソル制御手段Ｐｇ９から現在の又は指定された再生位置情報を受けた上で、指示された再生位置に対応したタイムコード（すなわち記録位置情報）からの本編映像の再生を制御する信号を、駆動機構Ｃ１３へ送る。同時にデスクランブル部Ｃ１４へスクランブル解除開始信号を送る。
【０１５９】
プレビュー映像編成手段Ｐｇ７は、選択タイトル情報をタイトル制御手段Ｐｇ４から受け、利用者からのプレビュー映像のモード指定ｉ３１をブラウジング・インタフェース手段Ｐｇ１を経由して受け、さらに選択された映像タイトルのセマンティック・コード（すなわちメタ情報）をブラウジング・インタフェース手段Ｐｇ１から受けて、内蔵する所定の映像抽出条件に基づき、当該映像タイトルの当該モードを構成する抽出映像（各シーン又は各ショット）を選出して、これら抽出映像のタイムコード（すなわち記録位置情報）をプレビュー映像再生制御手段Ｐｇ８へ送り、またプレビュー映像課金データを課金制御手段Ｐｇ１１へ送る。
【０１６０】
なお上記の映像抽出条件は、「閾値」から所定のアルゴリズムに基づき導出されるものであり、この所定のアルゴリズムはプレビュー映像編成手段Ｐｇ７が内蔵する。
【０１６１】
一方、「閾値」は、ブラウジング・インタフェース手段Ｐｇ１から供給されたセマンティック・コードから取り込まれる。この「閾値］として、通常はデフォルト値が適用されるが、利用者によって「閾値」が更新された場合は、この更新された「閾値」が取り込まれて適用される。
【０１６２】
プレビュー映像再生制御手段Ｐｇ８は、プレビュー映像編成手段Ｐｇ了からのタイムコードを受けるか、あるいは、利用者からのプレビュー／本編切替指示ｉ４３をプレビュー／本編切替手段Ｐｇ１０を経由して受け、またカーソル制御手段Ｐｇ９から現在の又は指定されたタイムコードを受けた上で、指示されたタイムコードからの本編映像を部分的に再生する制御信号を、逐次、駆動機構Ｃ１３へ送る。同時にデスクランブル部Ｃ１４へスクランブル解除開始信号を送る。
【０１６３】
カーソル制御手段Ｐｇ９は、利用者からのカーソル移動入力ｉ４２をブラウジング・インタフェース手段Ｐｇ１を経由して受け、さらにセマンティック・コード中の各ショット又は各シーンの記録位置情報を、ブラウジング・インタフェース手段Ｐｇ１から受け、当該カーソル位置のシーン又はショットのタイムコードをプレビュー映像再生制御手段Ｐｇ８又は本編映像再生制御手段Ｐｇ６へ送る。
【０１６４】
プレビュー／本編切替手段Ｐｇ１０は、利用者からのプレビュー映像／本編映像切替指示ｉ４３をブラウジング・インタフェース手段Ｐｇ１を経由して受け、本編映像再生制御手段Ｐｇ６又はプレビュー映像再生制御手段Ｐｇ８のいずれかへ、カレント（現在）のタイムコードを送る。
【０１６５】
課金制御手段Ｐｇ１１は、本編映像再生制御手段Ｐｇ６から本編映像への課金データを受けるか、又はプレビュー映像編成手段Ｐｇ７からプレビュー映像への課金データを受け、受けたデータ内容に基づいて、本編映像又はプレビュー映像へ一括課金するか又は従量課金するかの制御指示を課金処理部Ｃ１８へ送付する。
【０１６６】
ブラウジング・インタフェース手段Ｐｇ１は、上記の処理に加え、受理したセマンティック・コード（デフォルトの「閾値」が含まれる）をバッファメモリに暫定記憶し、さらに前記映像ブラウジング鑑賞フェーズＰｈ４下において、利用者からの「閾値」更新入力ｉ４４を受けると、このバッファメモリに暫定記憶している「閾値」を更新する。
【０１６７】
さらにブラウジング・インタフェース手段Ｐｇ１は、上記の処理に加え、利用者からの購入指示と鑑賞フェーズ指示入力ｉ３２を受けると本編映像再生制御手段Ｐｇ６を経由して課金制御手段Ｐｇ１１へ課金データを送り、また本編映像再生制御手段Ｐｇ６、プレビュー映像再生制御手段Ｐｇ８、カーソル制御手段Ｐｇ９、プレビュー／本編切替手段Ｐｇ１０へ制御指示を送って映像ブラウジングのための画面にするか、又は本編映像フル表示再生画面にする。
【０１６８】
さらに本編映像フル表示再生中に、利用者からのブラウジング開始指示ｉ５を受けると本編映像再生制御手段Ｐｇ６、プレビュー映像再生制御手段Ｐｇ８、カーソル制御手段Ｐｇ９、プレビュー／本編切替手段Ｐｇ１０へ制御指示を送って映像ブラウジングのための画面にする。
【０１６９】
さらに利用者からの本編映像フル表示指示ｉ４５を受けると、表示画面編成手段Ｐｇ２へ制御指示を送って本編映像のフル画面表示とする。
【０１７０】
次に、映像再生装置ＶＰ１の動作を説明する。
【０１７１】
利用者が開始時セマンティック・ブラウジング画面上のボタンから、放送番組やネット系から映像のとりこみ指示ｉ１を入力すると、この指示をブラウジング・インタフェース手段Ｐｇ１が受けて、映像タイトル取込記録フェーズＰｈ１のセマンティック・ブラウジング画面（図３及び図４に示された制御画面Ｇ１）へ画面更新する。ついてブラウジング・インタフェース手段Ｐｇ１はタイトル取込手段Ｐｇ３へ映像タイトルのとりこみ指示情報を送付する。
【０１７２】
タイトル取込手段Ｐｇ３は、映像タイトルのとりこみ指示情報を受けて、受信部Ｃ１０へ制御信号を送り、受信部Ｃ１０が受信した本編映像（動画と音声とサムネイル画像（静止画）とメタ情報（データ）を取り込んで、本編映像とサムネイル画像を駆動機構Ｃ１３へ送り、大容量ストレージ・メディアＭ１へ記録する。さらにメタ情報を高速ストレージ装置Ｃ１２へ送り記録する。
【０１７３】
以上のような映像タイトルの取り込みが反復されることにより、大容量ストレージ・メディアＭ１に例えば６種類の映像タイトルの本編映像ｖｄｔ１〜ｖｄｔ６と、それらのサムネイル画像ｓｄｔ１〜ｓｄｔ６が蓄積されるものとする。
【０１７４】
一方、高速ストレージ装置Ｃ１２には例えば６種類の映像タイトルのメタ情報ｍｄｔ１〜ｍｄｔ６が記録されるものとする。なおメタ情報の取り込みは、必ずしも本編映像とともになされることはなく、本編映像の取り込みとは別の時期に、あるいは別の系統を経て取り込むようにしてもよい。
【０１７５】
また、サムネイル画像をメタ情報に含めた構成も可能である。この場合にはサムネイル画像は高速ストレージ装置Ｃ１２内に記憶される。
【０１７６】
ついて利用者が、映像タイトル取込記録フェーズＰｈ１の画面Ｇ１（図３参照）上からリモコン入力などにより映像タイトル表示を指示すると、これをブラウジング・インタフェース手段Ｐｇ１が取り込み、映像タイトル選択フェースＰｈ２へ遷移して、タイトル制御手段Ｐｇ４に指示を送り、タイドル制御手段Ｐｇ４はサムネイル画像再生手段Ｐｇ５を起動させる。
【０１７７】
サムネイル画像再生手段Ｐｇ５は駆動機構Ｃ１３を駆動させ、大容量ストレージ・メディアＭ１内に記録されているサムネイル画像ｓｄｔ１〜ｓｄｔ６を読み出し、これを表示画面編成手段Ｐｇ２へ送る。あるいはサムネイル画像ｓｄｔ１〜ｓｄｔ６が高速ストレージ装置Ｃ１２内に記憶されている場合は、高速ストレージ装置Ｃ１２から読み出して表示画面編成手段Ｐｇ２へ送る。
【０１７８】
表示画面編成手段Ｐｇ２は、入力されたサムネイル画像ｓｄｔ１〜ｓｄｔ６を各ウインドウヘ仕分し、ブラウジング・インタフェース手段Ｐｇ１を経てディスプレイ装置Ｃ１５へ画面表示する。このようにして、画面内の６個のウインドウに各映像タイトルのサムネイル画像（静止画像）が現れた画面が表示される。この画面が映像タイトル選択フェーズＰｈ２の画面（図３及び図４及び図６の画面Ｇ２）である。
【０１７９】
次いで利用者が、この画面上から所望する映像タイトルの選択ｉ２を入力すると、ブラウジング・インタフェース手段Ｐｇ１はこの選択タイトル情報を受けて保持するとともに、画面上に表示する。
【０１８０】
ここで利用者が、その映像タイトルのプレビュー映像のモード（図６に示される「あらすじ」、「ハイライト」等のボタン）の指定ｉ３１を入力すると、ブラウジング・インタフェース手段Ｐｇ１はプレビュー映像モード選択フェーズＰｈ３へ遷移する。ついて選択タイトル情報に基づき高速ストレージ装置Ｃ１２から該当する映像タイトルのメタ情報を取り込み、指定されたモードに関するデータ（例えばこの映像タイトルに準備されている俳優型モードは二人である等）や、この映像タイトルの紹介短文（テキスト情報）等をディスプレイ装置Ｃ１５へ画面表示する。映像タイトルはモード毎に設けられることもある。
【０１８１】
この画面がプレビュー映像モード選択フェーズＰｈ３の画面（図３及び図４及び図７の画面Ｇ３）である。
【０１８２】
この画面内には、モード選択・表示ボタン（図７に示される「あらすじ」、「ハイライト」等のボタン）や他のボタン類（たとえは図７に示される「Ｓ．グラフ」ボタン、又は制御ボタン等）と、ウインドウ（図７に示されるｓｄｔ１が表示されている領域）と、紹介短文（図７に示されるｔｘｔ１）なとが表示される。
【０１８３】
この段階では、まだプレビュー映像再生はスタートしていない。画面のウインドウには当該映像タイトルの静止画像が表示され、モード選択・表示ボタンのうち前フェーズで指定されたモードに対応するボタンが強調点灯されている。
【０１８４】
次いで利用者が、制御ボタンを操作してプレビュー映像再生を開始する入力をすると、このモードのプレビュー映像の再生が開始され、ウインドウにプレビュー映像の動画が表示される。
【０１８５】
このプレビュー映像の再生は、通常は課金されないが、システムによっては課金することも可能である。
【０１８６】
また上記で、モード選択・表示ボタンのうち強調点灯されている、前フェーズで指定されたモードに対応するボタン以外のボタンを操作すると、前フェーズで指定されたモードは解除され、新しく操作されたモードに自動的に切り替わって、このモードでのプレビュー映像の再生が可能になる。
【０１８７】
このようにして利用者が、この映像タイトルのプレビュー映像を観た上で、この映像タイトルの本編映像の購入を決定し、さらに鑑賞フェーズとして映像ブラウジング鑑賞フェーズＰｈ４か、本編映像フル画面鑑賞フェーズＰｈ５のいずれかを指示する入力ｉ３２を、それぞれのボタンの操作により入力すると、このプレビュー映像モード選択フェーズＰｈ３を脱して、映像ブラウジング鑑賞フェーズＰｈ４か、本編映像フル画面鑑賞フェーズＰｈ５へ遷移する。
【０１８８】
例えば画面上で、購入決定とともに映像ブラウジング鑑賞フェーズＰｈ４へ移行させるには、対応するボタン（図７では「Ｓ，グラフ」ボタン）を操作し、あるいは購入決定とともに本編映像フル画面鑑賞フェーズＰｈ５へ移行させるには、対応するボタン（図７では「マスク」ボタンが相当する）を操作するようにする。
【０１８９】
映像ブラウジング鑑賞フェーズＰｈ４へ遷移すると、映像ブラウジング鑑賞フェーズＰｈ４のセマンティック・ブラウジング画面（図３及び図４及び図８の画面Ｇ４）が表示される。この画面Ｇ４は、選択モード確認ボタン、プレビュー映像又は本編映像表示のためのウインドウ、全本編映像のセマンティック・グラフ、プレビュー映像の位置、さらにカーソルなどから構成され、これがディスプレイ装置Ｃ１５へ画面表示される。
【０１９０】
映像ブラウジング鑑賞フェーズＰｈ４の動作は、図５の動作フローチャートも同時に参照しつつ説明する。
【０１９１】
ブラウジング・インタフェース手段Ｐｇ１はプレビュー映像編成手段Ｐｇ７へ選択モード情報とメタ情報を送る。プレビュー映像編成手段Ｐｇ７はメタ情報から、閾値を読み出し（ステップＳ１）、さらに各ショット又は各シーンの指標値を読み出し（ステップＳ２）、これらのうちの、閾値に適うもののみを抽出し（ステップＳ３）、抽出ショット又は抽出シーンとして登録する（ステップＳ４）。これが全ショット又はシーンにつき実行される（ステップＳ５）。
【０１９２】
一方、ブラウジング・インタフェース手段Ｐｇ１は、メタ情報から取り出した各ショット又は各シーンの指標値を積算し（ステップＳ６）、これを当該映像タイトルのセマンティック・グラフとして画面表示する（ステップＳ７）。
【０１９３】
次いで、プレビュー映像編成手段Ｐｇ７によって登録された各抽出ショット又は抽出シーンに該当するセマンティック・グラフ上の位置に、刻印を施す（ステップＳ８）。同時にスライド可能なカーソルを初期位置に表示する。
【０１９４】
ここで利用者が、カーソルをセマンティック・グラフ上の所望の位置に移動させると、カーソル制御手段Ｐｇ９によりセマンティック・グラフ上の位置か指定される（ステップＳ９）。利用者によるカーソルがなければ、初期位置が指定位置として扱われる。
【０１９５】
次いでブラウジング・インタフェース手段Ｐｇ１は利用者からの再生開始指示ｉ４１による、プレビュー映像再生の開始か、あるいは本編映像再生開始のいずれかを待機する（ステップＳ１０）。
【０１９６】
再生開始指示ｉ４１による、本編映像の再生指示入力があると、ブラウジング・インタフェース手段Ｐｇ１は本編映像再生制御手段Ｐｇ６へ制御指示を送り、スクランブルが解除された本編映像の再生が現在のカーソル位置から開始される。同時に本編映像再生制御手段Ｐｇ６は課金制御手段Ｐｇ１１へ制御指示を送り、課金制御手段Ｐｇ１１はこれに基づき課金処理部Ｃ１８へ課金処理を指示して、この本編映像の再生につき一括課金が、従量課金を実行する（ステップＳ１１）。
【０１９７】
次いで本編映像が終了したかを監視しつつ（ステップＳ１２）、プレビュー／本編切替指示ｉ４３が入力されるかを監視し（ステップＳ１３）、ステップＳ１１間で本編映像の再生を続行する。
【０１９８】
ここで本編映像が終了すると（ステップＳ１２）、動作を終了する。
【０１９９】
またプレビュー／本編切替指示ｉ４３が入力されると（ステップＳ１３）、現在位置以降のプレビュー映像の再生指示と判断し、プレビュー／本編切替手段Ｐｇ１０はプレビュー映像再生制御手段Ｐｇ８へ指示してステップＳ１６へ移行する（ステップＳ１４）。このようにして、本編映像からプレビュー映像へのブラウジングがなされる。
【０２００】
一方、ステップＳ１０で再生開始指示ｉ４１による、プレビュー映像再生スタート指示ｉ４１の入力かなされると、プレビュー映像編成手段Ｐｇ７はメタ情報から読み出した、カーソル位置に最寄りの抽出ショットのタイムコードをプレビュー映像再生制御手段Ｐｇ８へ送り、プレビュー映像再生制御手段Ｐｇ８は駆動機構Ｃ１３へ当該タイムコードのシーンの再生を指示する制御信号を送り、さらにデスクランブル部Ｃ１４へ起動信号を送る。
【０２０１】
駆動機構Ｃ１３によって読み出し再生された信号は、デスクランブル部Ｃ１４においてスクランブルが解かれ、さらに先読み制御手段Ｐｇ１２によりバッファリングされ、表示画面編成手段Ｐｇ２においてウインドウサイズに編成され、ブラウジング・インタフェース手段Ｐｇ１を経て、ディスプレイ装置Ｃ１５の画面内のウインドウへ表示される（ステップＳ１６）。
【０２０２】
このとき、プレビュー映像の開示レベルが課金に適うものであれば、プレビュー映像編成手段Ｐｇ７はプレビュー課金信号を課金制御手段Ｐｇ１１に入力し、課金制御手段Ｐｇ１１はこれに基づき課金処理部Ｃ１８へ課金処理を指示する（ステップＳ１６）。
【０２０３】
次いでプレビュー映像が終了したかを監視しつつ（ステップＳ１７）、プレビュー／本編切替指示ｉ４３が入力されるかを監視し（ステップＳ１８）、ステップＳ１６間でプレビュー映像の再生を続行する。
【０２０４】
ここでプレビュー映像が終了すると（ステップＳ１７）、動作を終了する。
【０２０５】
またプレビュー／本編切替指示ｉ４３が入力されると（ステップＳ１８）、プレビュー／本編切替手段Ｐｇ１０は現在位置以降の本編映像の再生指示と判断し、ステップＳ１１へ移行して現在のタイムコードを本編映像再生制御手段Ｐｇ６へ入力する（ステップＳ１９）。
【０２０６】
同時に、プレビュー映像編成手段Ｐｇ７の作動を停止させる。これにより、以降は本編映像の再生が継続的に実行される。
【０２０７】
このようにして、本編映像からプレビュー映像へのブラウジングがなされる。
【０２０８】
また、上記の過程で利用者がカーソルの移動ｉ４２を入力すると、割込処理がなされてステップＳ９へエントリし、カーソル制御手段Ｐｇ９がその位置に該当するショットのタイムコードを、本編映像の再生中の場合は本編映像再生制御手段Ｐｇ６へ送り、プレビュー映像の再生中の場合はプレビュー映像再生制御手段Ｐｇ８へ送る。
【０２０９】
本編映像再生制御手段Ｐｇ６はこの更新されたタイムコードのショットから再生する指示を駆動機構Ｃ１３へ送る。なお、本編映像再生中であるから、ここで新たにデスクランブル部Ｃ１４へ起動信号を送る必要はない。以下の本編映像再生動作は前記と同様である。
【０２１０】
あるいはプレビュー映像再生制御手段Ｐｇ８はこの更新されたタイムコードに間近の抽出ショットから再生する指示を駆動機構Ｃ１３へ送る。以下のプレビュー映像再生動作は前記と同様である。
【０２１１】
以上は本実施形態に係る映像再生装置ＶＰ１の構成と動作の説明であったが、次に、画面の制御装置と方法の実施形態について説明する。
【０２１２】
本実施形態に係る画面の制御装置は、前記実施形態において説明されたコンピュータが読み取り実行可能なプログラムで構成されたセマンティック・ブラウザ手段Ｃ１と、これを読み取り実行する不図示のマイクロコンピュータで構成される。
【０２１３】
セマンティック・ブラウザ手段Ｃ１は、連続した映像から成る本編映像を第二画面として表示し、また、本編映像から複数の所定部分を抽出した次数組の抽出映像からなるプレビュー映像を第一画面として表示する。
【０２１４】
第一画面内には少なくとも、第一映像表示領域と、第一映像推移表示領域と、第一切替入力領域を配して表示する。ここでは、前記図２に示されるプレビュー映像編成手段Ｐｇ７とプレビュー映像再生制御手段Ｐｇ８によって選定され再生された結果に基づき、表示画面編成手段Ｐｇ２が、第一映像表示領域にプレビュー映像を表示する。
【０２１５】
また第一映像推移表示領域には、ブラウジング・インタフェース手段Ｐｇ１が、本編映像の映像記録位置の推移を示す映像推移グラフと、この映像推移グラフに重畳させて各抽出映像に対応する映像記録位置に刻印を配設表示する。
【０２１６】
さらにこの第一映像推移表示領域に、ブラウジング・インタフェース手段Ｐｇ１がカーソル制御手段Ｐｇ９へ情報を送ることにより、現在表示しているプレビュー映像の現在の映像記録位置を示すカーソルを、映像推移グラフに重畳させて時間推移にともない常時更新して示す。
【０２１７】
またこのカーソルは、利用者によるカーソル移動入力ｉ４２を受けて任意の位置に移動される。これは、ブラウジング・インタフェース手段Ｐｇ１がカーソル移動入力ｉ４２を受けてカーソル制御手段Ｐｇ９へカーソル移動情報を送ると、カーソル制御手段Ｐｇ９がこのカーソル移動情報に基づき現在位置の制御をする。
【０２１８】
さらにブラウジング・インタフェース手段Ｐｇ１は、第一切替入力領域に、指示がなされたタイミングで現在の映像記録位置を切り出し保持しつつ、当該第一画面から連続映像表示フェーズで表示される第二画面へ遷移するための指示入力操作がなされる第一釦を表示する。この釦の操作結果はプレビュー／本編切替手段Ｐｇ１０によって処理される。
【０２１９】
同様に、第二画面内には少なくとも、第二映像表示領域と、第二映像推移表示領域と、第二切替入力領域を配して表示する。ここでは、本編映像再生制御手段Ｐｇ６によって再生された結果に基づき、表示画面編成手段Ｐｇ２が、第二映像表示領域に本編映像を表示する。
【０２２０】
また第二映像推移表示領域には、ブラウジング・インタフェース手段Ｐｇ１が、本編映像の映像記録位置の推移を示す映像推移グラフを表示する。
また、とりわけこの第二映像推移表示領域で表示される映像推移グラフに、前記の各抽出映像に対応する映像記録位置に刻印を重畳させて表示させることも、利用者の指示により可能である。
【０２２１】
さらにこの第二映像推移表示領域に、ブラウジング・インタフェース手段Ｐｇ１がカーソル制御手段Ｐｇ９へ情報を送ることにより、現在表示している本編映像の現在の映像記録位置を示すカーソルを、映像推移グラフに重畳させて時間推移にともない常時更新して示す。
【０２２２】
またこのカーソルは、利用者によるカーソル移動入力ｉ４２を受けて任意の位置に移動される。これは、ブラウジング・インタフェース手段Ｐｇ１がカーソル移動入力ｉ４２を受けてカーソル制御手段Ｐｇ９へカーソル移動情報を送ると、カーソル制御手段Ｐｇ９がこのカーソル移動情報に基づき現在位置の制御をする。
【０２２３】
さらにブラウジング・インタフェース手段Ｐｇ１は、第二切替入力領域に、指示がなされたタイミングで現在表示中の本編映像の記録位置を切り出し保持しつつ、当該第二画面からプレビュー映像が表示される第一画面へ遷移するための指示入力操作がなされる第二釦を表示する。この釦の操作結果はプレビュー／本編切替手段Ｐｇ１０によって処理される。
【０２２４】
このようにブラウジング・インタフェース手段Ｐｇ１は、第一釦又は第二釦の表示中になされる各指示入力に基づいて抽出映像表示フェーズと本編映像表示フェーズ間を遷移し、第一画面又は第二画面のいずれかを画面表示する。
【０２２５】
上記のように構成することによって、抽出映像表示フェーズにおいて第一映像推移表示・領域に表示される映像推移グラフにより、本編映像の映像記録位置の推移が示され、よって本編映像全体の構造が示される。また、この映像推移グラフに重畳させて、各抽出映像に対応する映像記録位置に刻印が配設されることによって、本編映像全体上の各抽出映像の位置関係が明らかにされる。
【０２２６】
さらに、第一映像表示領域に表示中の抽出映像の時間推移に伴う現在位置の移動が、映像推移グラフ上でのカーソルの自動的な移動により常時更新して示され、よって現在位置の、映像推移グラフ上での移動状態が明らかにされる。
【０２２７】
さらに、カーソルが映像推移グラフ上の任意の位置へ移動されると、映像推移グラフ上のその位置に対応するショット又はシーンの記録位置情報が参照され、この記録位置情報に最寄りの抽出映像が第一映像表示領域に順次再生される。
【０２２８】
次いで第一釦に指示入力操作があった時点で、カーソルの示す現在位置が切り出し保持され、現在表示されている、プレビュー映像の第一画面から、本編映像が表示される第二画面へ遷移がなされ、保持されたカーソルの位置に対応した本編映像の再生表示が進行する。
【０２２９】
同様に連続映像表示フェーズにおいて第二映像推移表示領域に表示される映像推移グラフにより、本編映像の映像記録位置の推移が示され、よって本編映像全体の構造が示される。
【０２３０】
さらに、第二映像表示領域に表示中の本編映像の時間推移に伴う現在位置の移動が、映像推移グラフ上でのカーソルの自動的な移動により常時更新して示され、よって現在位置の、映像推移グラフ上での移動状態が明らかにされる。
【０２３１】
さらに、カーソルが映像推移グラフ上の任意の位置へ移動されると、映像推移グラフ上のその位置に対応するショット又はシーンの記録位置情報が参照され、この記録位置情報に基づき対応する本編映像の、この記録位置以降の映像が第二映像表示領域に順次再生される。
【０２３２】
次いで第二釦に指示入力操作がなされた時点で、カーソルの示す現在位置が切り出し保持され、現在表示されている第二画面から、プレビュー映像が表示される第一画面へ遷移がなされ、保持されたカーソルの位置に対応した最寄りの抽出映像の再生表示が進行する。
【０２３３】
このように、第一釦又は第二釦に指示入力操作がなされると、そのタイミングでのカーソルの示す現在位置を切り出し保持しつつ、プレビュー映像表示の第一画面と本編映像表示の第二画面間の遷移がなされる。
【０２３４】
以上、本実施形態に係る映像再生装置ＶＰ１の画面制御の構成と方法につき説明した。以下、主要画面の構成を説明する。
【０２３５】
図４は、映像再生装置ＶＰ１の各動作フェーズと各制御画面の構成を示す説明図、図６〜図８は主要画面の例である。
【０２３６】
図４に示されるように、映像タイトル取込記録フェーズＰｈ１ではコンテンツファイリングのための制御画面Ｇ１が表示される。所望の映像タイトルが取り込まれると、映像タイトル選択フェーズＰｈ２へ遷移する。
【０２３７】
図６は、図４中の映像タイトル選択フェーズＰｈ２で表示される制御画面Ｇ２の例である。画面中央には６個のウインドウがあり、各映像タイトルそれぞれのサムネイル画像ｓｄｔ１〜ｓｄｔ６が表示されている、所望の映像タイトルの選択は、各ウインドウの上端部をカーソルによりポインティングしてクリックされるか、又はテンキー入力でなされる。
【０２３８】
図６ではサムネイル画像ｓｄｔ３の、第三番目の映像タイトルが選択されたことが表示されている。
【０２３９】
なお、ここでウインドウ内が二度クリックされると、このフェーズＰｈ２下で再生開始入力ｉ４１（図２参照）が発生したことになり、ブラウジング・インタフェース手段Ｐｇ１の処理により直ちに本編映像フル画面鑑賞フェーズＰｈ５へ遷移して、この映像タイトルのフル画面再生が開始される。
【０２４０】
ウインドウ上端部のクリックで映像タイトルが選択され、次いで上二段目のプレビュー映像モード選択ボタンのいずれかが選択されると、確認のためのタイムラグののち、自動的にプレビュー映像モード選択フェーズＰｈ３へ遷移する。
【０２４１】
あるいは、プレビュー映像モードをあらかじめプリセット形式とする構成も可能である。これによれば、映像タイトルが選択されると直ちに自動的にプレビュー映像モード選択フェーズＰｈ３へ遷移することになる。
【０２４２】
図７は、図４中のプレビュー映像モード選択フェーズＰｈ３で表示されるセマンティック・ブラウジング画面Ｇ３の例である。この画面は、映像タイトルとして「マスク」が選択された際に表示されるもので、最上段に映像タイトル名「マスク」が表示され、第二段及び第三段左側にモード選択・表示ボタン（図中の「あらすじ」、「ハイライト」等のボタン）が配設されている。
【０２４３】
さらに第三段右側のウインドウにはこの映像タイトル「マスク」のサムネイル画像ｓｄｔ１が表示され、最下段にはこの映像タイトル「マスク」の紹介文ｔｘｔ１が表示されている。
【０２４４】
この段階では、まだプレビュー映像再生はスタートしておらず、画面のウインドウに表示されているサムネイル画像ｓｄｔ１はこの映像タイトル「マスク」の静止画像である。またモード選択・表示ボタンのうち、前フェーズの映像タイトル選択フェーズＰｈ２で指定されたモードに対応するボタン、この図では「あらすし」ボタンが強調点灯されている。
【０２４５】
このようにモード選択・表示ボタンは、それ自体が表示効果を備えるもので、映像タイトル選択フェーズＰｈ２で選択されたモードのボタンが点灯表示される。
【０２４６】
これにより利用者は選択したモードを確認できる。
【０２４７】
次いで利用者が、画面のウインドウの上にある制御ボタンを操作してプレビュー映像再生を開始する入力をすると、このモードのプレビュー映像の再生が開始され、ウインドウに映像タイトル「マスク」の「あらすじ」モードのプレビュー映像が動画で表示される。
【０２４８】
また、プレビュー映像の再生中にウインドウ内がクリックされると、画面全体にプレビュー映像が表示される。このフル画面の再生中に画面内がクリックされると、ウインドウが再び現れて元の画面に復帰する。
【０２４９】
なお、このプレビュー映像の再生は課金されないのが通常であるが、課金するシステムにすることも可能である。
【０２５０】
また上記で、モード選択・表示ボタンのうち強調点灯されている「あらすじ」ボタン以外のボタン、例えば「ハイライト」ボタンを操作すると、前フェーズで指定された「あらすじ」モードは解除され、新しく操作された「ハイライト」モードに自動的に切り替わって、このモードでのプレビュー映像の再生が可能になる。
【０２５１】
このように、ここでモード選択・表示ボタンを操作することによりモードを変更することができる。なおウインドウ内のサムネイル画像を、モード毎に変えて表示するようにも構成できる。
【０２５２】
上記のようにして、この画面で所望のモードのプレビュー映像を観たのち、又は種々のモードのプレビュー映像を観たのち、利用者が購入決定をし、「Ｓ１，グラフ」ボタンを操作すると、画面は映像ブラウジング鑑賞フェーズＰｈ４へ遷移する。
【０２５３】
あるいは購入決定をし、「マスク」ボタンを操作すると、このフェーズＰｈ３下で再生開始入力ｉ４１（図２参照）が発生したことになり、ブラウジング・インタフェース手段Ｐｇ１の処理により直ちに本編映像フル画面鑑賞フェーズＰｈ５へ遷移して、この映像タイトルのフル画面再生が開始される。
【０２５４】
映像ブラウジング鑑賞フェーズＰｈ４へ遷移すると、図８に示されるような映像ブラウジング鑑賞フェーズＰｈ４のセマンティック・ブラウジング画面Ｇ」が表示される。また図９は、セマンティック・ブラウジング画面Ｃ４中のセマンティック・グラフの説明図である。
【０２５５】
セマンティック・ブラウジング画面Ｇ４の最上段は、タイトル表示部であり、コンテンツのタイトル名「マスク」、ジャンル、日付の表示、及び「戻る」ボタンが設けられる。第二段の左側と第三段の左側は、モード別再生ボタン部Ｍｄ４であり、プレビューモードとして「あらすじ」、「ハイライト」、「キーワード」、「俳優Ａ１」、「俳優Ａ２」、「俳優Ａ３」、本編映像再生として「全編」の各ボタンがある。このボタンの操作により、ステータス表示と再生エリアの限定がなされる。例えば、上述の図２０Ａ乃至図２０Ｃを参照して説明した要約映像が「あらすじ」ボタンの操作により表示される。また、例えば図２１Ａ乃至図２１Ｇを参照して説明した俳優別ハイライトサマリーの要約映像が「俳優Ａ１」、「俳優Ａ２」、「俳優Ａ３」ボタンの操作により選択的に表示される。
【０２５６】
第二段の右側はムービープレーボタン部として、ムービー制御のための５個の機能ボタンが配されている。これらは再生等の各ファンクションを選択するものである。左端から順に説明する。
【０２５７】
”再生”ボタン：停止中にこれを選択実行すると、当該再生フェーズの頭から再生が始まる。一時停止中は、停止している時点から再生する。
【０２５８】
”一時停止”ボタン：再生中にこれを選択実行すると、その時点のムービーの静止画が表示される。
【０２５９】
”停止”ボタン：再生中、一時停止中にこれを選択実行すると、タイトル静止画（初期状態）となる。
【０２６０】
”戻り”ボタン：再生中にこれを選択実行すると、現在再生しているシーンの頭に戻って再生し、複数回実行ボタンを押すと、押した回数分のシーンを戻り、その頭から再生する。プレビューモードの場合はシーンが不連続の場合が多いが、そのモードに含まれるシーンについてカウントして移動する。一時停止中にこれを選択実行すると、再生中と同じルールでシーンを移動した上で当該シーンの頭の静止画が表示される。停止中にこれを選択実行しても動作しない。
【０２６１】
”送り”ボタン：再生中にこれを選択実行すると、現在再生しているシーンの次のシーンの頭から再生し、複数回実行ボタンを押すと、押した回数分のシーンを送り、そのシーンの頭から再生する。プレビューモードの場合はシーンが不連続の場合が多いが、そのモードに含まれるシーンについてカウントして移動する。一時停止中にこれを選択実行すると、再生中と同じルールでシーンを移動した上で当該シーンの頭の静止画が表示される。停止中にこれを選択実行しても動作しない。
【０２６２】
これらのボタンをリモコン又はキーボード操作で選んで実行することにより、当該フェーズ下での再生が始まる。ある再生フェーズで一時停止後に別の再生フェーズを選択実行すると、停止中のシーンの位置から新たなフェーズの再生が始まる（図４の状態遷移参照）。なお、セットによってはリモコン側に直接ボタンを設けることにより、これら画面上のボタンの数を減らすこともできる。
【０２６３】
第三段右側には、ムービー画面部ＭＶがウインドウで設けられている。
【０２６４】
このウインドウには本編映像又はプレビュー映像が表示される。なお再生ボタンが実行される前の初期状態では、映像タイトルの表紙となるサムネイル静止画が表示されている。
【０２６５】
第四段左側には、各プレビュー映像モードに対応した抽出シーン表示選択ボタン（カット表示ボタン）ＭｄＳが配設されている。本編映像再生中に任意のプレビュー映像モードのカット表示ボタンが押されると、最下段に置かれたセマンティック・グラフＳＧＲ上にそのモードの抽出シーン位置を縦帯で表示できる。このセマンティック・グラフＳＧＲを参考にカーソル・スライダー部を左右に動かすことによって、好みのシーンから本編映像の鑑賞を続けることができる。すなわち再生位置の設定ができる。
【０２６６】
最下段には、図９に示されるセマンティック・グラフＳＧＲが表示される。
【０２６７】
セマンティック・グラフＳＧＲは、各ショット又は各シーンの指標値例えば評価値）が映像の時間的推移に沿って積算された、映像タイトルの物語的展開を示す折れ線グラフであるメイングラフＭＧｒ、映像の現在の再生位置を示しかつ移動のためのスライダ部（図では頭の三角形の部分）を備えたカーソルＣｕｒ、及びプレビュー映像モードに含まれる抽出シーンの位置を縦帯で示す抽出シーン帯Ｅｘｓからなる。
【０２６８】
メイングラフＭＧｒの横軸は本編映像のシーン単位であり、縦軸は評価値すなわちシーン・スコアの積算値を表している。実際例として映画「マスク」の例では、１時間３４分３５秒の本編映像が１５０のシーンに分割され、メイングラフＭＧｒの最大値は９．８を示す。
【０２６９】
なお、シーンスコアは与件であるが、その値は例えばゼロを挟んで−１乃至＋１まで正負に分かれ、意味的評価において複雑化の場合は正の値で、逆に意味的評価において鎮静化の場合は負の値で示されている。したがって、急角度の右上がりはシーンの大きな複雑化を意味し、急角度の右下がりは、シーンの大きな鎮静化を意味している。
【０２７０】
メイングラフＭＧｒの主要なピークにはマークが付けられる。
【０２７１】
主なピークを構成する上り坂と下り坂は、物語に含まれる１つのエピソードをおおよそ示している。グラフの山谷のパターンから、物語の導入部（起）、各種エピソードの展開（承）、クライマックス（転）と大団円（結）の把握がなされる。最初のピークに至る上り坂は導入部（起）に対応し、それに続く複数のピークが（承）の部分に相当するエピソードの展開、そして最後のピークに至る上り坂がクライマックス（転）を示し、最後のピーク以降が大団円（結）を示していると解釈できる。グラフの急激な上り坂や下り坂からは物語の劇的な展開をくみ取ることができ、長い上り坂からは連続した緊張感の高まりと大きなエピソードの展開を、長い下り坂からは大きなエピソードの一段落や問題解決を読み取ることができる。
【０２７２】
またメイングラフＭＧｒの横軸は、シーンに代わってシーンの開始又は終了時点のタイムコードを充てることもできる。横軸を時間にすることによって、グラフ中のシーンの傾斜角は相対的に変わるが、上り坂・下り坂の関係や縦軸の値は変わらない。グラフの解釈も、先と同様に行うことができる。
【０２７３】
カーソルＣｕｒは映像の再生とともに移動し、現在表示されている映像が含まれるシーンの位置を表示する。さらにカーソル頭部のスライダ部を左右にスライドさせることによって、メイングラフＭＧｒを見ながら任意のシーンを選ぶことができる。
【０２７４】
本編映像の再生中にカーソルのスライド操作をすれば、再生位置が更新され、スライド操作終了時点のカーソル位置から再生が再開される。一時停止中に同様の操作をすれば、操作終了時点のカーソル位置の静止画が表示される。
【０２７５】
一方、プレビュー映像を再生中に同様の操作をすれば、操作終了時点のカーソル位置のシーン若しくはその先の直近のシーンからプレビュー映像の再生が継続され、一時停止中に同様の操作をすれば、操作終了時点のカーソル位置のシーン若しくはその先の直近のシーンの顔の静止画が表示される。
【０２７６】
さらに、現時点のグラフの詳細を表示するために、カーソル位置を中心に所定の倍率にグラフを部分的に拡大表示する拡大グラフＥＬｇを設けることができる。図８では６倍寸が表示されている。ここでは縦方向に延びるカーソルが固定であり、背面のグラフが、再生進行とともに左に移動する。拡大グラフとカーソルの交点は、メイングラフにおけるカーソルの交点と一致している。
【０２７７】
プレビュー映像の抽出シーン表示選択釦ＭｄＳにより、メイングラフＭＣｒ上に表示するプレビュー映像の抽出シーンの表示モードを選ぶことができる。抽出シーンの表示モードの種類はプレビュー映像再生モードと一致しており、図示される例では”あらすじ”、”ハイライド、”キーワード”、”俳優Ａ１（ジム・キャリー）”、”俳優Ａ２（Ｃ・ディアス）”、”俳優Ａ３（Ｐ・リガート）”がある。
【０２７８】
また、プレビュー映像と本編映像間のブラウジングでは、プレビュー映像の再生位置からそれに対応する本編映像の再生に遷移し、またその逆に、本編映像の再生位置からそれに対応するプレビュー映像の再生に遷移することができる。具体的には次のような操作を行う。
【０２７９】
プレビュー映像の再生中に”一時停止”ボタンを押し、次に”全編”ボタンを押すことによって、プレビュー映像の再生中のシーンの頭から本編映像の連続再生に移行することができる。
【０２８０】
同様に、本編映像の再生中に”一時停止”ボタンを押し、次に何れかのプレビュー再生ボタンＭｄ４を押せば、本編映像再生中のシーンあるいはそれに続く直近のシーンに属するプレビュー映像シーンの再生に移行することができる。
【０２８１】
また、あるモードのプレビュー映像を再生中に、”一時停止’’ボタンを押し、次に別のボタンを押した場合も、同様の動作をする。例えば”あらすじ”モードで途中まで再生し、”一時停止”ボタンを押した上で俳優Ａ２”のプレビュー再生ボタンを押す場合である。
【０２８２】
この場合、一時停止しているシーンが次のプレビューモード、例では”俳優Ａ２”のプレビュー映像のシーンに含まれていないこともある、その場合には、それに続く直近のシーンに属する”俳優Ａ２”中のプレビュー映像シーンの再生に移行することになる。
【０２８３】
さらに全編再生時に、このムービー画面部ＭＶの任意の場所をクリックすると、このフェーズＰｈ４下で再生開始入力ｉ４１（図２参照）が発生したことになり、ブラウジング・インタフェース手段Ｐｇ１の処理により直ちに本編映像フル画面鑑賞フェーズＰｈ５へ遷移して、この映像タイトルのフル画面再生となり、本編映像をフル画面で鑑賞することができる。またフル画面の再生中に任意の場所をクリックすることにより、図８のブラウジング画面へ戻ることができる。
【０２８４】
上記で説明したように、本発明によれば、映画、テレビドラマ、ドキュメンタリなどの物語性のある映像タイトルを鑑賞する際に、セマンティック・グラフを通して物語の複雑化や鎮静化の流れを感覚的に把握でき、起承転結やエピソードの展開も捉えながら動画を見るなどにより、鑑賞のレベルを深めることができる。
【０２８５】
またプレビュー映像と本編映像間のブラウジング機能によって、プレビュー映像でおよそのストーリを追った上で、所望の部分から本編映像をじっくり観ることや、逆に必要な部分だけ本編映像のシーンを連続再生し、後はプレビュー映像で要約して観るなどの、物語の特性を把握した新しい鑑賞法ができる。
【０２８６】
さらに、各種モードのプレビュー映像を選べることで、好みの視点からのタイトル選択や映像検索ができる。しかもプレビュー映像に属するシーンは必ず本編映像の中に存在するために、プレビュー映像で気に入った部分があると、その部分から本編映像の鑑賞に移ることが可能になる。またセマンティック・グラフを見ながらカーソル・スライダを移動させることによって、物語の流れにおける意図する所望部分に迅速に映像を移行することができる。
【０２８７】
さらに、映像ブラウジング鑑賞フェーズＰｈ４で鑑賞中に、セマンティック・スコアの閾値を変えることで、各モードのプレビュー映像の時間を調整することができ、より詳細なプレビュー映像や、短時間で簡潔なプレビュー映像など、ユーザー好みに合わせたプレビュー映像の活用ができる。
【０２８８】
次に、本発明の実施形態である、コンピュータ読み取り可能な記録媒体は、コンピュータを、前記の図２で示されるセマンティック・ブラウザ手段として機能させるためのプログラムを記録したものである。
【０２８９】
当該記録媒体は、例えば読み出し専用の半導体メモリチップ（ＲＯＭチップ）として構成される他、フレキシブルディスクやメモリスティック等のデータキャリア装置が適用可能である。
【０２９０】
また、このコンピュータ読み取り可能な記録媒体が、コンピュータによって読み取り実行されたときの機能は、前記セマンティック・ブラウザ手段Ｃ１の前記機能と同様であり、よって説明は省略される。
【０２９１】
次に、栞機能につき説明する。
【０２９２】
図１０は、本発明の実施形態に係る映像情報の記録装置の、栞処理に係る要部構成を示すブロック図である。なお前記の実施形態と同じ部分は図示が省略されている。
【０２９３】
同図に示されるように、本実施形態に係る映像情報の記録装置ＶＲ１は、本編映像の各ショット又は各シーンの記録位置情報と、各ショット又は各シーンの指標値を備えるメタ情報に基づき各ショット又は各シーンの指標値が順次積算された値をセマンティック・グラフとして表示するとともに、インタフェース機能を備えるブラウジング・インタフェース手段Ｐｇ１’と、このグラフ上の任意の位置を指定するカーソル制御手段Ｐｇ９と、このグラフ上の指定位置を栞を挿入する位置とする栞挿入入力手段Ｉ８と、メタ情報に、少なくとも当該グラフ上の指定位置に対応した記録位置情報を、栞位置として追記録する栞挿入／検索手段Ｐｇ１３とを備える。
【０２９４】
栞の挿入動作を説明すると、ブラウジング・インタフェース手段Ｐｇ１’によって指標値が順次積算されたセマンティック・グラフが画面表示され、利用者が、カーソル制御手段Ｐｇ９に管理されているカーソルを移動させて、栞を挾みたい所望位置で停め、この状態で栞挿入の入力ｉＳを栞挿入入力手段Ｉ８を操作して行うと、栞挿入／検索手段Ｐｇ１３によってセマンティック・グラフ上のカーソル位置に対応したタイムコードが、栞位置としてメタ情報に追記録され、これがメモリスティックや高速ストレージ装置等に保存される。この栞位置に関する記録位置情報は、任意の時期に読み出しがなされる。
【０２９５】
次に、本発明の実施形態に係る、栞の検出が可能な映像再生装置は、図１０において、本編映像の各ショット又は各シーンの記録位置情報と、各ショット又は各シーンの指標値を備えるメタ情報に基づき各ショット又は各シーンの指標値が順次積算された値をセマンティック・グラフとして表示するとともに、インタフェース機能を備えるブラウジング・インタフェース手段Ｐｇ１’と、このグラフ上の位置を指定するカーソル制御手段Ｐｇ９と、栞の検索を指示する栞検索入力手段Ｉ９と、メモリスティックや高速ストレージ装置等に保存されているメタ情報から栞位置を読み出す栞挿入／検索手段Ｐｇ１３とを備える。
【０２９６】
次に、栞の検出動作を説明する。
【０２９７】
ブラウジング・インタフェース手段ＰｇＶがセマンティック・グラフを表示中の状態で、利用者が栞検索入力手段Ｉ９から栞検索ｉ９の入力をすると、栞挿入／検索手段Ｐｇ１３がメモリスティックＭ２内のメタ情報ファイルを読み出し、栞のタイムコードを検索して、このタイムコードを本編映像再生制御手段Ｐｇ６’又はプレビュー映像再生制御手段Ｐｇ８’へ入力し、栞の位置から本編映像又はプレビュー映像の再生を実行させる。
【０２９８】
さらに、栞挿入／検索手段Ｐｇ１３からブラウジング・インタフェース手段Ｐｇ１’へ栞のタイムコードが入力され、ブラウジング・インタフェース手段Ｐｇ１’が表示中のセマンティック・グラフ上に栞の位置を、適当な印によって表示させる。この状態で再生開始の指示がなされると、カーソル制御手段Ｐｇ９によってカーソルが栞の位置へ移動し、再生が開始される。
【０２９９】
本発明に係るコンピュータ読み取り可能な記録媒体は、コンピュータを、本編映像のショット又はシーンの記録位置情報と、各ショット又は各シーンの指標値を備えるメタ情報に基づき、各ショット又は各シーンの指標値が順次積算された値をグラフ表示するブラウジング・インタフェース手段Ｐｇ１’と、グラフ上の任意の位置を指定するカーソル制御手段Ｐｇ９と、グラフ上の指定位置が栞を挿入する位置とする栞挿入入力手段Ｉ８と、メタ情報に、グラフ上の指定位置に対応したタイムコードを、栞位置として追記録する栞挿入／検索手段Ｐｇ１３、として夫々機能させるためのプログラムを記録したものである。
【０３００】
この記録媒体には、例えば読み出し専用の半導体メモリチップ（ＲＯＭチップ）として構成される他、フレキシブルディスクやメモリスティック等のデータキャリア装置が適用可能である。
【０３０１】
前記の記録媒体に記録されたプログラムが、コンピュータによって読み取り実行されたときの機能は、前記の映像情報の記録装置の、栞処理に係る前記機能と同様であり、よって説明は省略される。
【０３０２】
本発明に係るコンピュータ読み取り可能な記録媒体は、コンピュータを、本編映像のショット又はシーンの記録位置情報と、各ショット又は各シーンの指標値を備えるメタ情報に基づき、各ショット又は各シーンの指標値が順次積算された値をグラフ表示するブラウジング・インタフェース手段Ｐｇ１’と、グラフ上の位置を指定するカーソル制御手段Ｐｇ９と、栞の検索を指示する栞検索入力手段Ｉ９と、メモリスティックや高速ストレージ装置等に保存されているメタ情報から栞位置を読み出す栞挿入／検索手段Ｐｇ１３、として夫々機能させるためのプログラムを記録したものである。
【０３０３】
この記録媒体には、例えば読み出し専用の半導体メモリチップ（ＲＯＭチップ）として構成される他、フレキシブルディスクやメモリスティック等のデータキャリア装置が適用可能である。
【０３０４】
前記の記録媒体に記録されたプログラムが、コンピュータによって読み取り実行されたときの機能は、前記の映像情報の記録装置の栞検索に係る前記機能と同様であり、よって説明は省略される。
【０３０５】
このように、本発明によれば、栞機能を設けることによって、利用者が注目するシーンを栞を挟むように記憶し、後の検索・再生に活用することができる。
【０３０６】
次に、本発明に係る映像再生装置の他の数例の実施形態につき順次、説明する。なお、以下の各実施形態は、ショット又はシーンが複数個、所定順序で連結された本編映像を再生可能な映像再生装置で、前記実施形態におけるセマンティック・ブラウザ手段Ｃ１の構成がそれぞれ異なるが、全体ブロック構成はいずれも前記図１で説明したものと同様である。
【０３０７】
よって以下の説明では内蔵する各セマンティック・ブラウザ手段の構成と動作に限定して説明を行うものとする。
【０３０８】
他の実施形態である、本発明に係る映像再生装置のセマンティック・ブラウザ手段は、以下の構成であり、またその動作フローチャートは図１１に示される。
【０３０９】
このセマンティック・ブラウザ手段は、少なくともブラウジング・インタフェース手段Ｐｇ１、表示画面編成手段Ｐｇ２、本編映像再生制御手段Ｐｇ６、プレビュー映像編成手段Ｐｇ７、プレビュー映像再生制御手段Ｐｇ８、カーソル制御手段Ｐｇ９、プレビュー／本編切替手段Ｐｇ１０、課金制御手段Ｐｇ１１を備える。これら各手段の機能と動作を図１１にしたがい説明する。
【０３１０】
図１１の動作フローチャートにおいて、ブラウジング・インタフェース手段Ｐｇ１は、メタ情報から各ショット又は各シーンの指標値を取り出し（ステップＳ２４）、次いで各ショット又は各シーンの指標値を積算し（ステップＳ２５）、これを当該映像タイトルのセマンティック・グラフとして画面表示する（ステップＳ２６）。
【０３１１】
次いで、メタ情報から各抽出ショット又は抽出シーンを特定する情報を読み出し（ステップＳ２７）、セマンティック・グラフ上のこれら抽出部分の位置に、刻印を施す（ステップＳ２８）。
【０３１２】
ここで利用者が、カーソルをセマンティック・グラフ上の所望の位置に移動させると、カーソル制御手段Ｐｇ９によりセマンティック・グラフ上の位置が指定される（ステップＳ２９）。
【０３１３】
次いでブラウジング・インタフェース手段Ｐｇ１は利用者からの、プレビュー映像再生スタート指示の入力が、あるいは本編映像再生指示の入力を待機する（ステップＳ３０）。
【０３１４】
本編映像再生指示の入力があると、ブラウジング・インタフェース手段Ｐｇ１は本編映像再生制御手段Ｐｇ６へ制御指示を送り、スクランブルか解除された本編映像の再生が現在のカーソル位置から開始される。同時に本編映像再生制御手段Ｐｇ６は課金制御手段Ｐｇ１１へ制御指示を送り、課金制御手段Ｐｇｔ１１はこれに基づき課金処理部Ｃ１８へ課金処理を指示して、この本編映像の再生につき一括課金か、従量課金を実行する（ステップＳ３１）。
【０３１５】
次いで本編映像が終了したかを監視しつつ（ステップＳ３２）、プレビュー／本編切替指示が入力されるかを監視し（ステップＳ３ｇ）、ステップＳ３１間で本編映像の再生を続行する。
【０３１６】
ここで本編映像が終了すると（ステップＳ３２）、動作を終了する。
【０３１７】
またプレビュー／本編切替指示が入力されると（ステップＳ３３）、現在位置以降のプレビュー映像の再生指示と判断し、プレビュー／本編切替手段Ｐｇ１０はプレビュー映像再生制御手段Ｐｇ８へ指示してステップＳ３６へ移行する（ステップＳ３４）。このようにして、本編映像からプレビュー映像へのブラウジングがなされる。
【０３１８】
一方、ステップＳ３０でプレビュー映像再生スタート指示の入力がなされると、プレビュー映像編成手段Ｐｇ７はメタ情報から読み出した、カーソル位置に最寄りの抽出ショットのタイムコードをプレビュー映像再生制御手段Ｐｇ８へ送り、プレビュー映像再生制御手段Ｐｇ８は駆動機構Ｃ１３へ当該タイムコードのシーンの再生を指示する制御信号を送り、さらにデスクランブル部Ｃ１４へ起動信号を送る。
【０３１９】
駆動機構Ｃ１３によって読み出し再生された信号は、デスクランブル部Ｃ１４においてスクランブルが解かれ、さらに先読み制御手段Ｐｇ１２によりバッファリングされ、表示画面編成手段Ｐｇ２においてウィンドウサイズに編成され、ブラウジング・インタフェース手段Ｐｇ１を経て、ディスプレイ装置Ｃ１５の画面内のウインドウへ表示される（ステップＳ３６）。
【０３２０】
このとき、プレビュー映像の開示レベルが課金に適うものであれは、プレビュー映像編成手段Ｐｇ７はプレビュー課金信号を課金制御手段Ｐｇ１１に入力し、課金制御手段Ｐｇ１１はこれに基づき課金処理部Ｃ１８へ課金処理を指示する（ステップＳ３６）。
【０３２１】
次いでプレビュー映像が終了したかを監視しつつ（ステップＳ３７）、プレビュー／本編切替指示ｉ４３が入力されるかを監視し（ステップＳ３８）、ステップＳ３６間でプレビュー映像の再生を続行する。
【０３２２】
ここでプレビュー映像が終了すると（ステップＳ３７）、動作を終了する。
【０３２３】
またプレビュー／本編切替指示ｉ４３が入力されると（ステップＳ３８）、プレビュー／本編切替手段Ｐｇ１０は現在位置以降の本編映像の再生指示と判断し、ステップＳ３１へ移行して現在のタイムコードを本編映像再生制御手段Ｐｇ６へ入力する（ステップＳ３９）。同時に、プレビュー映像編成手段Ｐｇ７の作動を停止させる。これにより、以降は本編映像の再生が継続的に実行される。
【０３２４】
このようにして、本編映像からプレビュー映像へのブラウジングがなされる。
【０３２５】
また、上記の過程で利用者がカーソルの移動を入力すると、割込処理がなされてステップＳ２９へエントリし、カーソル制御手段Ｐｇ９がその位置に該当するショットのタイムコードを、本編映像の再生中の場合は本編映像再生制御手段Ｐｇ６へ送り、プレビュー映像の再生中の場合はプレビュー映像再生制御手段Ｐｇ８へ送る。
【０３２６】
この結果、各ショット又は各シーンの指標値を順次積算したセマンティック・グラフを表示でき、よって本編映像全体の構造を画面に示すことができる。
【０３２７】
さらに、メタ情報により与件として供給される抽出ショット又は抽出シーンを特定する情報を参照して、グラフ上のこれら抽出ショット又は抽出シーンに対応する位置に印を表示することによって、本編映像全体中のこれら抽出ショット又は抽出シーンの位置関係を明示することができる。
【０３２８】
また、利用者によってセマンティック・グラフ上の任意の位置が指定され、かつ本編映像の再生が指示されると当該位置に対応しているシーン又はショットを特定し、この特定シーン又はショットのタイムコードを参照して、この記録位置から本編映像を再生し、さらにこの本編映像の再生中に利用者によって抽出ショット又は抽出シーンの再生が指示されると、現在再生中の記録位置以降の抽出ショット又は抽出シーンの再生に切り替える。
【０３２９】
一方、利用者によってセマンティック・グラフ上の抽出ショット又は抽出シーンを示す印が指定され、かつ抽出ショット又は抽出シーンの再生が指示されると当該位置に対応している抽出シーン又は抽出ショットを特定し、この特定抽出シーン又は抽出ショットの記録位置情報を参照して、この記録位置から抽出シーン又は抽出ショットを再生し、さらにこの抽出シーン又は抽出ショットの再生中に利用者によって本編映像の再生が指示されると、現在再生中の記録位置以降の本編映像の再生に切り替える。
【０３３０】
上記の、グラフ上の任意の位置の指定及び本編映像の再生の指示、又は、抽出ショット又は抽出シーンを示す印の指定及びその再生の指示が交互になされると、本編映像と抽出映像間の往来すなわちブラウジングができ、しかも両指定及び指示が反復されると、ブラウジングを繰り返し実行する。
【０３３１】
また、本発明の他の実施形態である、コンピュータ読み取り可能な記録媒体は、コンピュータを、前記の図１１で示される動作フローのセマンティック・ブラウザ手段として機能させるためのプログラムを記録したものである。当該記録媒体は、例えば読み出し専用の半導体メモリチップ（ＲＯＭチップ）として構成される他、フレキシブルディスクやメモリスティック等のデータキャリア装置が適用可能である。
【０３３２】
また、このコンピュータ読み取り可能な記録媒体が、コンピュータによって読み取り実行されたときの機能は、前記セマンティック・ブラウザ手段の前記機能と同様であり、よって説明は省略される。
【０３３３】
さらに別の実施形態である、本発明に係る映像再生装置のセマンティック・ブラウザ手段は、以下の構成であり、またその動作フローチャートは図１２に示される。
【０３３４】
このセマンティック・ブラウザ手段は、少なくともブラウジング・インタフェース手段Ｐｇ１、表示画面編成手段Ｐｇ２、本編映像再生制御手段Ｐｇ６、プレビュー映像編成手段Ｐｇ７、プレビュー映像再生制御手段Ｐｇ８、カーソル制御手段Ｐｇ９を備える。これら各手段の機能と動作を図１２にしたがい説明する。
【０３３５】
図１２の動作フローチャートにおいて、ブラウジング・インタフェース手段Ｐｇ１は、前記映像ブラウジング鑑賞フェーズＰｈ４下において、利用者からの「閾値」更新入力ｉ４４を受けると（ステップＳ４０）、閾値を更新する（ステップＳ４１）。
【０３３６】
このように、利用者が「閾値」を更新入力する時期は、セマンティック・グラフが画面表示されている映像ブラウジング鑑賞フェーズＰｈ４下であることが好ましい。その理由は、セマンティック・グラフが表示されていることにより、利用者が本編映像全体の流れを把握した上で適切な「閾値」を設定することが可能になるからである。なお、これは本実施形態に限られることなく、他の実施形態においても同様である。
【０３３７】
次いでプレビュー映像編成手段Ｐｇ７は、ショット又はシーンのタイムコードと、各ショット毎又は各シーン毎に予め設定された指標値とを備えるメタ情報から各ショット又は各シーンの指標値を読み出し（ステップＳ４２）、この指標値が閾値に適うか否かを検査し（ステップＳ４３）、閾値に適うものを抽出ショット又は抽出シーンとして登録する（ステップＳ４４）。これを全ショット又はシーンについて行う（ステップＳ４５）。
【０３３８】
一方、ブラウジング・インタフェース手段Ｐｇ１は、メタ情報から取り出した各ショット又は各シーンの指標値を積算し、これを当該映像タイトルのセマンティック・グラフとして画面表示する。
【０３３９】
ついて、プレビュー映像編成手段Ｐｇ７によって登録された各抽出ショット又は抽出シーンに該当するセマンティック・グラフ上の位置に、刻印を施す（ステップＳ４６）。
【０３４０】
ここで利用者が、カーソルをセマンティック・グラフの前記刻印のうち所望の刻印上に移動させると、カーソル制御手段Ｐｇ９によりセマンティック・グラフ上の位置が指定され（ステップＳ４７）、カーソル制御手段Ｐｇ９からの指示により本編映像再生制御手段Ｐｇ６又はプレビュー映像再生制御手段Ｐｇ８が、指定刻印位置以降の刻印部分を順次、再生する（ステップＳ４８）。
【０３４１】
この結果、各ショット又は各シーンの指標値を順次積算したセマンティック・グラフを画面表示でき、よって本編映像全体の構造を画面に表示できる。
【０３４２】
さらに、更新した閾値に基づき、メタ情報により与件として供給される各抽出ショット又は各抽出シーンの指標値を参照して、抽出すべきショット又はシーンを決定し、グラフ上のこれら抽出ショット又は抽出シーンに対応する位置に印を表示することによって、本編映像全体中のこれら抽出ショット又は抽出シーンの位置関係を明示できる。
【０３４３】
さらに、グラフ上でいずれかの印が指定されると、タイムコードに基づきこの印に対応している抽出ショット又は抽出シーンの記録位置を特定でき、本編映像中の当該記録位置に相当する各部分映像を所定順序に沿って順次再生できる。
【０３４４】
さらに、閾値を指示にしたがい変更する構成であるから、利用者によって任意の閾値の設定が可能になる。この結果、利用者が閾値を厳しく、又は緩く設定することで、抽出するショット又はシーンの総数の調節ができ、したがって抽出映像の再生時間を調節できる。
【０３４５】
また、本発明の他の実施形態である、コンピュータ読み取り可能な記録媒体は、コンピュータを、前記の図１２で示される動作フローのセマンティック・ブラウザ手段として機能させるためのプログラムを記録したものである。当該記録媒体は、例えば読み出し専用の半導体メモリチップ（ＲＯＭチップ）として構成される他、フレキシブルディスクやメモリスティック等のデータキャリア装置が適用可能である。
【０３４６】
また、このコンピュータ読み取り可能な記録媒体が、コンピュータによって読み取り実行されたときの機能は、前記セマンティック・ブラウザ手段の前記機能と同様であり、よって説明は省略される。
【０３４７】
さらに別の実施形態である、本発明に係る映像再生装置のセマンティック・ブラウザ手段は、以下の構成であり、またその動作フローチャートは図１３に示される。
【０３４８】
このセマンティック・ブラウザ手段は、少なくともブラウジング・インタフェース手段Ｐｇ１、表示画面編成手段Ｐｇ２、本編映像再生制御手段Ｐｇ６、プレビュー映像編成手段Ｐｇ７、プレビュー映像再生制御手段Ｐｇ８、カーソル制御手段Ｐｇ９を備える。これら各手段の機能と動作を図１３にしたがい説明する。
【０３４９】
図１３の動作フローチャートにおいて、プレビュー映像編成手段Ｐｇ７はメタ情報から、閾値を読み出し（ステップＳ５０）、さらに各ショット又は各シーンの指標値を読み出し（ステップＳ５１）、これらのうちの、閾値に適うもののみを抽出し（ステップＳ５２）、抽出ショット又は抽出シーンとして登録する（ステップＳ５３）。これが全ショット又はシーンにつき実行される（ステップＳ５４）。
【０３５０】
一方、ブラウジング・インタフェース手段Ｐｇ１は、メタ情報から取り出した各ショット又は各シーンの指標値を積算し、これを当該映像タイトルのセマンティック・グラフとして画面表示する。
【０３５１】
次いで、プレビュー映像編成手段Ｐｇ７によって登録された各抽出ショット又は抽出シーンに該当するセマンティック・グラフ上の位置に、刻印を施す（ステップＳ５５）。
【０３５２】
ここで利用者が、カーソルをセマンティック・グラフの前記刻印のうち所望の刻印上に移動させると、カーソル制御手段Ｐｇ９によりセマンティック・グラフ上の位置が指定され（ステップＳ５６）カーソル制御手段Ｐｇ９からの指示により本編映像再生制御手段Ｐｇ６又はプレビュー映像再生制御手段Ｐｇ８が、指定刻印位置以降の刻印部分を順次、再生する（ステップＳ５７）。
【０３５３】
この結果、各ショット又は各シーンの指標値を順次積算したセマンティック・グラフを表示でき、本編映像全体の構造を示すことができる。さらに、更新入力された閾値に基づき、メタ情報により与件として供給される各抽出ショット又は各抽出シーンの指標値を参照して、抽出すべきショット又はシーンを決定し、グラフ上のこれら抽出ショット又は抽出シーンに対応する位置に印を表示することにより、本編映像全体中のこれら抽出ショット又は抽出シーンの位置関係を明示できる。
【０３５４】
さらに、グラフ上でいずれかの印が指定されると、タイムコードに基づきこの印に対応している抽出ショット又は抽出シーンの記録位置を特定でき、本編映像中の当該記録位置に相当する各部分映像を所定順序に沿って順次再生できる。
【０３５５】
また、本発明の他の実施形態である、コンピュータ読み取り可能な記録媒体は、コンピュータを、前記の図１３で示される動作フローのセマンティック・ブラウザ手段として機能させるためのプログラムを記録したものである。当該記録媒体は、例えば読み出し専用の半導体メモリチップ（ＲＯＭチップ）として構成される他、フレキシブルディスクやメモリスティック等のデータキャリア装置が適用可能である。
【０３５６】
また、このコンピュータ読み取り可能な記録媒体が、コンピュータによって読み取り実行されたときの機能は、前記セマンティック・ブラウザ手段の前記機能と同様であり、よって説明は省略される。
【０３５７】
さらに別の実施形態である、本発明に係る映像再生装置のセマンティック・ブラウザ手段は、以下の構成であり、またその動作フローチャートは図１４に示される。
【０３５８】
このセマンティック・ブラウザ手段は、少なくともブラウジング・インタフェース手段Ｐｇ１表示画面編成手段Ｐｇ２、本編映像再生制御手段Ｐｇ６、プレビュー映像編成手段Ｐｇ７、プレビュー映像再生制御手段Ｐｇ８、カーソル制御手段Ｐｇ９を備える。これら各手段の機能と動作を図１４にしたがい説明する。
【０３５９】
図１４の動作フローチャートにおいて、ブラウジング・インタフェース手段Ｐｇ１は、メタ情報から取り出した各ショット又は各シーンの指標値を積算し（ステップＳ６０）、これを当該映像タイトルのセマンティック・グラフとして画面表示する（ステップＳ６１）。
【０３６０】
ここでブラウジング・インタフェース手段Ｐｇ１は、メタ情報から抽出ショット又は抽出シーンを特定する情報を読み出し（ステップＳＧ２）、次いで、プレビュー映像編成手段Ｐｇ７によって登録された各抽出ショット又は抽出シーンに該当するセマンティック・グラフ上の位置に、刻印を施す（ステップＳ６３）。
【０３６１】
ここで利用者が、カーソルをセマンティック・グラフの前記刻印のうち所望の刻印上に移動させると、カーソル制御手段Ｐｇ９によりセマンティック・グラフ上の位置が指定され（ステップＳ６４）、カーソル制御手段Ｐｇ９からの指示により本編映像再生制御手段Ｐｇ６又はプレビュー映像再生制御手段Ｐｇ８が、指定刻印位置以降の刻印部分を順次、再生する（ステップＳ６５）
【０３６２】
この結果、各ショット又は各シーンの指標値を順次積算したセマンティック・グラフを画面表示でき、よって本編映像全体の構造を画面に表示できる。
【０３６３】
さらに、指定閾値に基づき、メタ情報により与件として供給される各抽出ショット又は各抽出シーンを特定する情報を参照して、セマンティック・グラフ上のこれら抽出ショット又は抽出シーンに対応する位置に印を表示することによって、本編映像全体中のこれら抽出ショット又は抽出シーンの位置関係を明示できる。
【０３６４】
さらに、セマンティック・グラフ上でいずれかの印が指定されると、タイムコードに基づきこの印に対応している抽出ショット又は抽出シーンの記録位置を特定でき、本編映像中の当該記録位置に相当する各部分映像を所定順序に沿って順次再生できる。
【０３６５】
この結果、メタ情報により与件として供給される抽出ショット又は抽出シーンを特定する情報を参照して、グラフ上のこれら抽出ショット又は抽出シーンに対応する位置に印を表示することで、本編映像全体中のこれら抽出ショット又は抽出シーンの位置関係を明らかにできる。
【０３６６】
また、グラフ上でいずれかの印が指定されると、タイムコードに基づきこの印に対応している抽出ショット又は抽出シーンの記録位置を特定でき、本編映像中の当該記録位置に相当する各部分映像を所定順序に沿って順次再生できる。
【０３６７】
また、本発明の他の実施形態である、コンピュータ読み取り可能な記録媒体は、コンピュータを、前記の図１４で示される動作フローのセマンティック・ブラウザ手段として機能させるためのプログラムを記録したものである。当該記録媒体は、例えば読み出し専用の半導体メモリチップ（ＲＯＭチップ）として構成される他、フレキシブルディスクやメモリスティック等のデータキャリア装置が適用可能である。
【０３６８】
また、このコンピュータ読み取り可能な記録媒体が、コンピュータによって読み取り実行されたときの機能は、前記セマンティック・ブラウザ手段の前記機能と同様であり、よって説明は省略される。
【０３６９】
さらに別の実施形態である、本発明に係る映像再生装置のセマンティック・ブラウザ手段は、以下の構成であり、またその動作フローチャートは図１５に示される。
【０３７０】
このセマンティック・ブラウザ手段は、少なくともブラウジング・インタフェース手段Ｐｇ１、表示画面編成手段Ｐｇ２、本編映像再生制御手段Ｐｇ６、プレビュー映像編成手段Ｐｇ７、プレビュー映像再生制御手段Ｐｇ８、カーソル制御手段Ｐｇ９を備える。これら各手段の機能と動作を図１５にしたがい説明する。
【０３７１】
図１５の動作フローチャートにおいて、ブラウジング・インタフェース手段Ｐｇ１は、メタ情報から取り出した各ショット又は各シーンの指標値を積算し（ステップＳ７０）、これを当該映像タイトルのセマンティック・グラフとして画面表示する（ステップＳ７１）。
【０３７２】
ここで利用者が、カーソルをセマンティック・グラフの所望の位置に移動させると、カーソル制御手段Ｐｇ９によりセマンティック・グラフ上の位置が措定され（ステップＳ７２）、カーソル制御手段Ｐｇ９からの指示により本編映像再生制御手段Ｐｇ６又はプレビュー映像再生制御手段ＰｇＳが、指定位置以降の映像を順次、再生する（ステップＳ７３）。
【０３７３】
この結果、各ショット又は各シーンの指標値を順次積算したセマンティック・グラフを画面表示でき、よって本編映像全体の構造を画面に表示できる、 さらに、セマンティック・グラフ上でいずれかの位置が指定されると、タイムコードに基づきこの位置に対応している映像部分の記録位置を特定でき、本編映像又はプレビュー映像の当該記録位置に相当する部分から順次再生できる。
【０３７４】
また、本発明の他の実施形態である、コンピュータ読み取り可能な記録媒体は、コンピュータを、前記の図で示される動作フローのセマンティック・ブラウザ手段として機能させるためのプログラムを記録したものである。当該記録媒体は、例えば読み出し専用の半導体メモリチップ（ＲＯＭチップ）として構成される他、フレキシブルディスクやメモリスティック等のデータキャリア装置が適用可能である。
【０３７５】
また、このコンピュータ読み取り可能な記録媒体が、コンピュータによって読み取り実行されたときの機能は、前記セマンティック・ブラウザ手段の前記機能と同様であり、よって説明は省略される。
【０３７６】
さらに別の実施形態である、本発明に係る映像再生装置のセマンティック・ブラウザ手段は、以下の構成であり、またその動作フローチャートは図１６に示される。
【０３７７】
このセマンティック・ブラウザ手段は、少なくともブラウジング・インタフェース手段Ｐｇ１、表示画面編成手段Ｐｇ２、本編映像再生制御手段Ｐｇ６、プレビュー映像編成手段Ｐｇ７、プレビュー映像再生制御手段Ｐｇ８を備える。これら各手段の機能と動作を図１６にしたがい説明する。
【０３７８】
図１６の動作フローチャートにおいて、ブラウジング・インタフェース手段Ｐｇ１は、利用者からの閾値の更新入力を受けると（ステップＳ８０）、閾値を更新する（ステップＳ８１）。
【０３７９】
ついてプレビュー映像編成手段Ｐｇ７は、ショット又はシーンのタイムコードと、各ショット毎又は各シーン毎に予め設定された指標値とを備えるメタ情報から各ショット又は各シーンの指標値を読み出し（ステップＳ８２）、この指標値が閾値に適うか否かを検査し（ステップＳ８３）、閾値に適うものを抽出ショット又は抽出シーンとして登録する（ステップＳＳ１）。これを全ショット又はシーンについて行う（ステップＳ８５）。
【０３８０】
ついてプレビュー映像編成手段Ｐｇ７は、登録した抽出ショット又は抽出シーンのタイムコードを読み出し（ステップＳ８６）、プレビュー映像再生制御手段Ｐｇ８が本編映像から上記タイムコードに対応する部分を抽出した映像を所定順序に沿って順次再生表示する（ステップＳ８７）。
【０３８１】
この結果、入力された更新閾値に基づき、メタ情報により与件として供給される各抽出ショット又は抽出シーンの指標値を参照して、抽出すべきショット又はシーンを決定でき、これら抽出ショット又は抽出シーンのタイムコードを特定して、抽出映像を順次再生できる。
【０３８２】
また、本発明の他の実施形態である、コンピュータ読み取り可能な記録媒体は、コンピュータを、前記の図１６で示される動作フローのセマンティック・ブラウザ手段として機能させるためのプログラムを記録したものである。当該記録媒体は、例えば読み出し専用の半導体メモリチップ（ＲＯＭチップ）として構成される他、フレキシブルディスクやメモリスティック等のデータキャリア装置が適用可能である。
【０３８３】
また、このコンピュータ読み取り可能な記録媒体が、コンピュータによって読み取り実行されたときの機能は、前記セマンティック・ブラウサ手段の前記機能と同様であり、よって説明は省略される。
【０３８４】
さらに別の実施形態である、本発明に係る映像再生装置のセマンティック・ブラウザ手段は、以下の構成であり、またその動作フローチャートは図１７に示される。
【０３８５】
このセマンティック・ブラウサ手段は、少なくともブラウジング・インタフェース手段Ｐｇ１、表示画面編成手段Ｐｇ２、本編映像再生制御手段Ｐｇ６、プレビュー映像編成手段Ｐｇ７、プレビュー映像再生制御手段Ｐｇ８を備える。これら各手段の機能と動作を図１７にしたがい説明する。
【０３８６】
図１７の動作フローチャートにおいて、プレビュー映像編成手段Ｐｇ７は、閾値と、ショット又はシーンのタイムコードと、各ショット毎又は各シーン毎に予め設定された指標値とを備えるメタ情報から、閾値を読み出し（ステップＳ９０）、各ショット又は各シーンの指標値を読み出し（ステップＳ９１）、この指標値が閾値に適うか否かを検査し（ステップＳ９２）、閾値に適うものを抽出ショット又は抽出シーンとして登録する（ステップＳ９３）。これを全ショット又はシーンについて行う（ステップＳ９４）。
【０３８７】
次いでプレビュー映像編成手段Ｐｇ７は、登録した抽出ショット又は抽出シーンのタイムコードを読み出し（ステップＳ９５）、プレビュー映像再生制御手段Ｐｇ８が本編映像から上記タイムコードに対応する部分を抽出した映像を所定順序に沿って順次再生表示する（ステップＳ９６）。
【０３８８】
この結果、指定された閾値に基づき、メタ情報により与件として供給される各抽出ショット又は抽出シーンの指標値を参照して、抽出すべきショット又はシーンを決定でき、これら抽出ショット又は抽出シーンのタイムコードを特定して、抽出映像を順次再生できる。
【０３８９】
また、本発明の他の実施形態である、コンピュータ読み取り可能な記録媒体は、コンピュータを、前記の図１７で示される動作フローのセマンティック・ブラウザ手段として機能させるためのプログラムを記録したものである。当該記録媒体は、例えば読み出し専用の半導体メモリチップ（ＲＯＭチップ）として提供される他、フレキシブルディスクやメモリスティック等のデータキャリア装置が適用可能である。
【０３９０】
また、このコンピュータ読み取り可能な記録媒体が、コンピュータによって読み取り実行されたときの機能は、前記セマンティック・ブラウザ手段の前記機能と同様であり、よって説明は省略される。
【０３９１】
さらに別の実施形態である、本発明に係る映像再生装置のセマンティック・ブラウザ手段は、以下の構成であり、またその動作フローチャートは図１８に示される。
【０３９２】
このセマンティック・ブラウザ手段は、少なくともブラウジング・インタフェース手段Ｐｇ１、表示画面編成手段Ｐｇ２、本編映像再生制御手段Ｐｇ６、プレビュー映像編成手段Ｐｇ７、プレビュー映像再生制御手段Ｐｇ８を備える。これら各手段の機能と動作を図１８にしたがい説明する。
【０３９３】
図１８の動作フローチャートにおいて、プレビュー映像編成手段Ｐｇ７はショット又はシーンのタイムコードと、抽出ショット又は抽出シーンを特定する情報を備えるメタ情報から、抽出ショット又は抽出シーンのタイムコードを読み出し（ステップＳ１００）、プレビュー映像再生制御手段Ｐｇ８が本編映像から上記タイムコードに対応する部分を抽出した映像を所定順序に沿って順次再生する（ステップＳ１０１）。
【０３９４】
この結果、メタ情報により与件として供給される抽出ショット又は抽出シーンを特定する情報を参照して、再生すべき抽出ショット又は抽出シーンを特定でき、これら抽出ショット又は抽出シーンのタイムコードを特定して、抽出映像を順次再生できる。
【０３９５】
また、本発明の他の実施形態である、コンピュータ読み取り可能な記録媒体は、コンピュータを、前記の図１８で示される動作フローのセマンティック・ブラウザ手段として機能させるためのプログラムを記録したものである、当該記録媒体は、例えば読み出し専用の半導体メモリチップ（ＲＯＭチップ）として構成される他、フレキシブルディスクやメモリスティック等のデータキャリア装置が適用可能である。
【０３９６】
また、このコンピュータ読み取り可能な記録媒体が、コンピュータによって読み取り実行されたときの機能は、前記セマンティック・ブラウザ手段の前記機能と同様であり、よって説明は省略される。
【０３９７】
ところで、前記図１において駆動機構Ｃ１３は図示されるものでは内蔵機器として示されているが、このような内蔵機器に限定されることなく、例えば、大容量ストレージ・メディアを備えて、家庭用として適用されるホームサーバを別個の外部装置として、このホームサーバと接続する構成とすることも可能である。さらに、このようなホームサーバに限定されることなく、公衆電話回線等のネットワークを介して、遠距離にある業務用のサーバ機器と接続する構成とすることも可能である。
【０３９８】
また、本編映像と、それに関連するメタ情報を入手する方法の例としては、以下のものがある。
【０３９９】
１．デジタル放送から、本編映像ファイルと、それに随伴したメタ情報を同時に受信して入手するが、別々に入手する。
２．インターネット等のネットワークからダウンロードにより、メタ情報を入手する。
３．パッケージメディア系により、本編映像と、随伴したメタ情報を一挙に入手する。
４．放送系又はパッケージメディア系により本編映像を入手し、またそれとは別個に、データキャリア型メモリ装置（例えば、メモリスティックやメモリカードやメモリタグ等）又はパッケージメディア系からメタ情報を入手する。
【０４００】
また、放送系からメタ情報を受信する場合は、受信されて入手されるメタ情報を一旦、高速ストレージ装置などに記録し、別途、この記録されたメタ情報を用いて、大容量ストレージ・メディアあるいはＤＶＤ等のパッケージ系メディアに記録されている本編映像ファイルから所定部分を抽出してプレビュー映像を得ようにする。
【０４０１】
なお、放送系から本編映像及び、それに随伴したメタ情報の両方を受信し、リアルタイムでプレビュー映像を本編映像から抽出し、この抽出映像を画面表示することなく記録するのは適切であるが、本編映像を受信し、リアルタイムでプレビュー映像を抽出しながら、画面表示するのは適切でない。その理由は、リアルタイム抽出では多種類のモードのプレビュー映像を準備することには適しない上、本編映像の時間流れに依存した抽出となるから、サーチの概念がなく、よってプレビュー映像の画面表示で空き時間が頻繁に発生する。しかもプレビュー映像と空き時間とで、本編映像の映像時間と同じ時間を要することになるから、好ましくない。
【０４０２】
よって、放送系から本編映像及びメタ情報の両方を同時に受信する場合は、一旦、記録手段へ本編映像やメタ情報を記録し、別途、これらを用いてプレビュー映像を編成・再生するのが好ましい。
【０４０３】
以上詳述したように、本発明に係る映像再生装置又は方法は、各ショット又は各シーンの指標値をメタ情報として供給するものであるから、各ショット又は各シーンの指標値を順次積算したグラフを画面表示することにより、本編映像全体の構造を示すことができる。
【０４０４】
また、本発明に係る映像再生装置又は方法が、メタ情報により与件として供給される抽出ショット又は抽出シーンを特定する情報を参照して、各ショット又は各シーンの指標値を順次積算した前記のグラフ上のこれら抽出ショット又は抽出シーンに対応する位置に印を表示するものであれば、これら印によって本編映像全体中のこれら抽出ショット又は抽出シーンの位置関係を明示することができる。
【０４０５】
また本発明に係る映像再生装置又は方法が、抽出映像を再生する場合において、メタ情報により与件として供給される抽出ショット又は抽出シーンを特定する情報を参照して、再生すべき抽出ショット又は抽出シーンを特定するものであれば、メタ情報により与件として供給される記録位置情報に基づきこれら抽出ショット又は抽出シーンの記録位置を特定でき、よって本編映像中の当該記録位置に相当する各抽出映像を所定順序に沿って順次再生することができる。
【０４０６】
とりわけ、前記グラフ上で前記の抽出ショット又は抽出シーンに付けられた印のうちのいずれかの印が利用者によって指定されると、メタ情報により与件として供給される記録位置情報に基づきこの印に対応している抽出ショット又は抽出シーンの記録位置を特定して、本編映像中の当該記録位置に相当する各部分映像を所定順序に沿って順次再生することができる。
【０４０７】
また、本発明に係る映像再生装置又は方法が、本編映像を再生する場合において、各ショット又は各シーンの指標値を順次積算した前記のグラフ上の任意の位置を指定するものであれば、メタ情報により与件として供給される記録位置情報に基づきグラフ上の当該指定位置に対応するショット又はシーンの記録位置情報を参照して、対応する本編映像の当該記録位置以降の映像を順次再生することができる。
【０４０８】
また、本発明に係る映像再生装置又は方法は、前記グラフ上に前記抽出ショット又は抽出シーンを示す印を表示し、利用者による前記グラフ上の任意の位置の指定及び本編映像再生の指示があると、この位置以降の本編映像を再生し、この本編映像の再生中に利用者による前記印のいずれかの指定及び当該抽出ショット又は抽出シーン再生の指示があると、現在位置以降の抽出ショット又は抽出シーンの再生に切り替えるものとし、一方、利用者による前記グラフ上の抽出ショット又は抽出シーンを示す印の指定及びその再生の指示があると、この位置以降の抽出ショット又は抽出シーンを再生し、この再生中に利用者による本編映像再生の指示があると、現在位置以降の本編映像の再生に切り替えるものである。
【０４０９】
上記により、利用者がグラフ上の任意の位置を指定しかつ本領映像の再生を指示すると、この位置に対応しているシーン又はショットを特定し、この特定シーン又はショットの記録位置情報を参照して当該記録位置から本編映像を再生し、さらにこの本編映像の再生中に利用者が抽出ショット又は抽出シーンの再生を指示すると、現在再生中の記録位置以降の抽出ショット又は抽出シーンの再生に切り替えることができ、よって本編映像と抽出映像間の効果的なブラウジングを実行することができる。
【０４１０】
一方、利用者がグラフ上の抽出ショット又は抽出シーンを示す印を指定し、かつ抽出ショット又は抽出シーンの再生を指示すると、この位置に対応している抽出シーン又は抽出ショットを特定し、この特定した抽出シーン又は抽出ショットの記録位置情報を参照して当該記録位置から抽出シーン又は抽出ショットを再生し、さらにこの抽出シーン又は抽出ショットの再生中に利用者が本編映像の再生を指示すると、現在再生中の記録位置以降の本編映像の再生に切り替えることができ、よって本編映像と抽出映像間の効果的なブラウジングを実行することができる。
【０４１１】
また、本発明に係る映像再生装置又は方法が、前述の抽出ショット又は抽出シーンを決定する際に、指定された閾値に基づき、メタ情報により与件として供給される各ショット又は各シーンの指標値を参照して、閾値に達するものを抽出ショット又は抽出シーンとするものであれば、前以て閾値を厳しく、又は緩く設定しておくことにより、抽出されるショット又はシーンの種類又は総数を調節することができる。
【０４１２】
あるいは、本発明に係る映像再生装置又は方法が、前記閾値を利用者からの指示にしたがい変更するものであれば、利用者が任意の閾値を設定できる。この結果、閾値を任意に厳しく、又は任意に緩く設定することにより抽出されるショット又はシーンの種類又は総数を調節することができ、したがって抽出映像の種類又は再生時間を所望のものに調節することができる。
【０４１３】
あるいは、本発明に係る映像情報記録装置又は方法は、メタ情報により与件として供給される各ショット又は各シーンの指標値を順次積算した値を画面上にグラフ表示し、利用者によってこのグラフ上の任意の位置か、栞を挿入する位置として指定されると、このメタ情報に、少なくとも画面上の当該指定位置に対応している記録位置情報を、栞位置として追記録するものであるから、任意の映像に栞を挟むことができる。この栞位置は、メタ情報に追記録され、保存されるから、任意の時期に読み出すことが可能である。
【０４１４】
あるいは、本発明に係る映像再生装置又は方法は、メタ情報を検索して、記録されている栞位置としての記録位置情報を読み出し、この記録位置にある映像から再生するものであるから、任意の位置に挟まれた栞を検出の上、その部分から映像を再生表示することができる。
【０４１５】
さらに、本発明に係る映像再生装置又は方法は、前記の本編映像や抽出映像への一括課金や従量課金を行うものであるから、課金の洩れの発生を排除でき、また合理的な課金が可能となる。
【０４１６】
以上から明らかなように、本発明によれば映像の再生時に、映像全体の推移をグラフにより確認しながら、所望の部分へ自在に移動して所望の映像を鑑賞でき、  また本編映像と抽出映像間の自在のブラウジングが可能になる。
【０４１７】
この結果、映像タイトルの購入検討や選択時に便利な機能を提供できるのみならず、選択し購入した映像タイトルを鑑賞する際にあっても便利な、ブラウジング機能を提供することができる。
【０４１８】
さらに加えて、本編映像や抽出映像への様々な課金を実行できることにより、映像タイトルの供給側にとり、また映像タイトルの利用者側にとり、両者いずれにも便利で高信頼性の課金処理を行うことが可能になるという、顕著な効果がある。
【図面の簡単な説明】
図１は、本発明に係る映像再生装置の一実施形態のブロック構成図である。
図２は、図１中に示されるセマンティック・ブラウザ手段のブロック構成図である。
図３は、本発明に係る映像再生装置の状態遷移図である。
図４は、本発明に係る映像再生装置の一実施形態の各動作フェーズと各制御画面の構成を示す説明図である。
図５は、本発明に係る映像再生装置の一実施形態の動作フローチャートである。
図６は、映像タイトル選択フェーズで表示される画面の例である。
図７は、プレビュー映像モード選択フェーズで表示される画面の例である。
図８は、映像ブラウジング鑑賞フェーズで表示される画面の例である。
図９は、セマンティック・グラフの構成の説明図である。
図１０は、栞の処理に係る要部のブロック構成図である。
図１１は、本発明に係る映像再生装置の他の実施形態の動作フローチャートである。
図１２は、本発明に係る映像再生装置の別の実施形態の動作フローチャートである。
図１３は、本発明に係る映像再生装置のさらに別の実施形態の動作フローチャートである。
図１４は、本発明に係る映像再生装置のさらに別の実施形態の動作フローチャートである。
図１５は、本発明に係る映像再生装置のさらに別の実施形態の動作フローチャートである。
図１６は、本発明に係る映像再生装置のさらに別の実施形態の動作フローチャートである。
図１７は、本発明に係る映像再生装置のさらに別の実施形態の動作フローチャートである。
図１８は、本発明に係る映像再生装置のさらに別の実施形態の動作フローチャートである。
図１９は、本発明に適用されるセマンティック・コードの構成例の説明図である。
図２０Ａ乃至図２０Ｃは、上記セマンティック・コードを用いた要約映像の生成例を模式的に示す図である。
図２１Ａ乃至図２１Ｇは、上記セマンティック・コードを用いた複数の要約映像の生成例を模式的に示す図である。
図２２は、上記セマンティック・コードを用いた要約映像の他の生成例を模式的に示す図である。
図２３Ａ乃至図２３Ｆは、上記セマンティック・コードを用いた複数の本編バージョンの生成例を模式的に示す図である。
【図１】
0004300711.tif 000002
【図２】
0004300711.tif 000003
【図３】
0004300711.tif 000004
【図４】
0004300711.tif 000005
【図５】
0004300711.tif 000006
【図６】
0004300711.tif 000007
【図７】
0004300711.tif 000008
【図８】
0004300711.tif 000009
【図９】
0004300711.tif 000010
【図１０】
0004300711.tif 000011
【図１１】
0004300711.tif 000012
【図１２】
0004300711.tif 000013
【図１３】
0004300711.tif 000014
【図１４】
0004300711.tif 000015
【図１５】
0004300711.tif 000016
【図１６】
0004300711.tif 000017
【図１７】
0004300711.tif 000018
【図１８】
0004300711.tif 000019
【図１９】
0004300711.tif 000020
【図２０Ａ】
0004300711.tif 000021
【図２０Ｂ】
0004300711.tif 000022
【図２０Ｃ】
0004300711.tif 000023
【図２１Ａ】
0004300711.tif 000024
【図２１Ｂ】
0004300711.tif 000025
【図２１Ｃ】
0004300711.tif 000026
【図２１Ｄ】
0004300711.tif 000027
【図２１Ｅ】
0004300711.tif 000028
【図２１Ｆ】
0004300711.tif 000029
【図２１Ｇ】
0004300711.tif 000030
【図２２】
0004300711.tif 000031
【図２３Ａ】
0004300711.tif 000032
【図２３Ｂ】
0004300711.tif 000033
【図２３Ｃ】
0004300711.tif 000034
【図２３Ｄ】
0004300711.tif 000035
【図２３Ｅ】
0004300711.tif 000036
【図２３Ｆ】
0004300711.tif 000037